(57)【要約】【課題】電磁波の透過性を低下させることなく、美的外観に優れる装飾板を提供する。【解決手段】電波を用いて情報の送信及び受信のうちの少なくとも何れか一方を行うアンテナ１３よりも外光入射側に当該アンテナ１３と重なるように配設される文字板１４であって、電波透過性を有する基材１４ａと、この基材１４ａの外光入射側に配設され、アンテナ１３により送信又は受信される波長の電波を透過するとともに可視光域の全ての波長の光を反射する光反射フィルム１４ｂとを備えている。【選択図】図２
2011185953.tif 000002
【特許請求の範囲】
【請求項１】
電波を用いて情報の送信及び受信のうちの少なくとも何れか一方を行う通信素子よりも外光入射側に当該通信素子と重なるように配設される装飾板であって、
電波透過性を有する基材と、
この基材の外光入射側に配設され、前記通信素子により送信又は受信される波長の電波を透過するとともに可視光の全ての波長のうちの少なくとも一部の波長の光を反射する光反射フィルムとを備えることを特徴とする装飾板。
【請求項２】
電波を用いて情報の送信及び受信のうちの少なくとも何れか一方を行う通信素子よりも外光入射側に当該通信素子と重なるように配設される装飾板であって、
電波透過性を有し、且つ、透明若しくは半透明に形成された基材と、
この基材の外光入射側と反対側に設けられ、前記通信素子により送信又は受信される波長の電波を透過するとともに可視光の全ての波長のうちの少なくとも一部の波長の光を反射する光反射フィルムとを備えることを特徴とする装飾板。
【請求項３】
前記光反射フィルムには、入射される光を屈折する光屈折部が形成されていることを特徴とする請求項１又は２に記載の装飾板。
【請求項４】
前記基材には、入射される光を屈折する光屈折部が形成されていることを特徴とする請求項２に記載の装飾板。
【請求項５】
少なくとも外光入射側が開口してなる機器ケースと、この機器ケース内に配設され、電波を用いて情報の送信及び受信のうちの少なくとも何れか一方を行う通信素子と、この通信素子よりも外光入射側にて前記通信素子と重なるように前記機器ケース内に配設された装飾板と、を備え、
前記装飾板は、
電波透過性を有する基材と、
この基材の外光入射側に配設され、前記通信素子により送信又は受信される波長の電波を透過するとともに可視光の全ての波長のうちの少なくとも一部の波長の光を反射する光反射フィルムとを備えることを特徴とする電子機器。
【請求項６】
少なくとも外光入射側が開口してなる機器ケースと、この機器ケース内に配設され、電波を用いて情報の送信及び受信のうちの少なくとも何れか一方を行う通信素子と、この通信素子よりも外光入射側にて前記通信素子と重なるように前記機器ケース内に配設された装飾板と、を備え、
前記装飾板は、
電波透過性を有し、且つ、透明若しくは半透明に形成された基材と、
この基材の外光入射側と反対側に設けられ、前記通信素子により送信又は受信される波長の電波を透過するとともに可視光の全ての波長のうちの少なくとも一部の波長の光を反射する光反射フィルムとを備えることを特徴とする電子機器。
【請求項７】
前記光反射フィルムには、入射される光を屈折する光屈折部が形成されていることを特徴とする請求項５又は６に記載の電子機器。
【請求項８】
前記基材には、入射される光を屈折する光屈折部が形成されていることを特徴とする請求項６に記載の電子機器。
【請求項９】
前記装飾板は、赤外線及び紫外線のうちの少なくとも何れか一方を透過し、
前記装飾板と前記通信素子との間に、前記装飾板を透過した赤外線及び紫外線のうちの
少なくとも何れか一方を受光して発電する太陽電池が設けられていることを特徴とする請求項５〜８の何れか一項に記載の電子機器。
【請求項１０】
少なくとも外光入射側が開口してなる機器ケースと、この機器ケース内に配設され、赤外線及び紫外線のうちの少なくとも何れか一方を受光して発電する太陽電池と、この太陽電池よりも外光入射側にて前記太陽電池と重なるように前記機器ケース内に配設された装飾板と、を備え、
前記装飾板は、
光透過性を有する基材と、
この基材の外光入射側に配設され、赤外線及び紫外線のうちの少なくとも何れか一方を透過するとともに可視光の全ての波長のうちの少なくとも一部の波長の光を反射する光反射フィルムとを備えることを特徴とする電子機器。
【請求項１１】
少なくとも外光入射側が開口してなる機器ケースと、この機器ケース内に配設され、赤外線及び紫外線のうちの少なくとも何れか一方を受光して発電する太陽電池と、この太陽電池よりも外光入射側にて前記太陽電池と重なるように前記機器ケース内に配設された装飾板と、を備え、
前記装飾板は、
透明若しくは半透明に形成された光透過性を有する基材と、
この基材の外光入射側と反対側に設けられ、赤外線及び紫外線のうちの少なくとも何れか一方を透過するとともに可視光の全ての波長のうちの少なくとも一部の波長の光を反射する光反射フィルムとを備えることを特徴とする電子機器。
【発明の詳細な説明】
【技術分野】
【０００１】
本発明は、腕時計、携帯電話機などの各種の電子機器に適用される装飾板及びこれを備えた電子機器に関する。
【背景技術】
【０００２】
従来より、腕時計等に備わる文字板等の装飾板としては、より装飾性に優れた高級感のあるもの、例えば金属感を備えるものなどが好まれている。
ところで、文字板に金属感を備えさせる方法として、金属蒸着やメタリック印刷又は塗装等が知られている。しかしながら、かかる方法により形成される文字板では、電波を通過させることが困難となるために、電波を用いて外部通信機器に情報を送信したり外部通信機器から送信された情報を受信するためのアンテナを配置しても、情報の送信や受信を適正に行うことができないといった問題がある。
そこで、文字板として、プラスチックなどの非導電性、且つ、非磁性の材料から形成したものが知られている（例えば、特許文献１参照。）。
【０００３】
また、腕時計として、光エネルギーを電気エネルギーに変換する太陽電池を搭載し、当該太陽電池により発電された電力により駆動するものが知られている。
【先行技術文献】
【特許文献】
【０００４】
【特許文献１】特開２００５−３６７５号公報
【発明の概要】
【発明が解決しようとする課題】
【０００５】
しかしながら、上記特許文献１等の場合、文字板等の装飾板に高級感を備えさせることができず、腕時計等の電子機器の高級感の向上を図ることができないといった問題がある。
また、太陽電池を搭載する腕時計等の場合、文字板の一部を切り欠き、この切り欠かれた部分に太陽電池がその表面を露出させるように搭載されるため、文字板の装飾性が低下してしまうといった問題もある。一方、文字板を切り欠かずに当該文字板の外光入射側と反対側に太陽電池を配設することも考えられるが、この場合には、太陽電池による発電をより効率良く行うことができるように当該太陽電池による受光を遮らない光透過性を有する文字板を配設する必要があるため、文字板に高級感を備えさせることが困難となる。
【０００６】
そこで、本発明の課題は、電磁波の透過性を低下させることなく、美的外観に優れる装飾板及びこれを備える電子機器を提供することである。
【課題を解決するための手段】
【０００７】
請求項１に記載の発明は、
電波を用いて情報の送信及び受信のうちの少なくとも何れか一方を行う通信素子（例えば、図２のアンテナ１３等）よりも外光入射側に当該通信素子と重なるように配設される装飾板（例えば、図２の文字板１４等）であって、
電波透過性を有する基材（例えば、図２の基材１４ａ等）と、
この基材の外光入射側に配設され、前記通信素子により送信又は受信される波長の電波を透過するとともに可視光の全ての波長のうちの少なくとも一部の波長の光を反射する光反射フィルム（例えば、図２の光反射フィルム１４ｂ等）とを備えることを特徴としている。
【０００８】
請求項２に記載の発明は、
電波を用いて情報の送信及び受信のうちの少なくとも何れか一方を行う通信素子（例えば、図４のアンテナ１３等）よりも外光入射側に当該通信素子と重なるように配設される装飾板（例えば、図４の文字板１１４等）であって、
電波透過性を有し、且つ、透明若しくは半透明に形成された基材（例えば、図４の基材１４ａ等）と、
この基材の外光入射側と反対側に設けられ、前記通信素子により送信又は受信される波長の電波を透過するとともに可視光の全ての波長のうちの少なくとも一部の波長の光を反射する光反射フィルム（例えば、図４の光反射フィルム１４ｂ等）とを備えることを特徴としている。
【０００９】
請求項３に記載の発明は、請求項１又は２に記載の装飾板において、
前記光反射フィルムには、入射される光を屈折する光屈折部（例えば、図５の光屈折部ｂ１）が形成されていることを特徴としている。
【００１０】
請求項４に記載の発明は、請求項２に記載の装飾板において、
前記基材には、入射される光を屈折する光屈折部（例えば、図６の光屈折部ａ１）が形成されていることを特徴としている。
【００１１】
請求項５に記載の発明の電子機器（例えば、図１の腕時計１００等）は、
少なくとも外光入射側が開口してなる機器ケース（例えば、図２の時計ケース２等）と、この機器ケース内に配設され、電波を用いて情報の送信及び受信のうちの少なくとも何れか一方を行う通信素子（例えば、図２のアンテナ１３等）と、この通信素子よりも外光入射側にて前記通信素子と重なるように前記機器ケース内に配設された装飾板（例えば、図２の文字板１４等）と、を備え、
前記装飾板は、
電波透過性を有する基材（例えば、図２の基材１４ａ等）と、
この基材の外光入射側に配設され、前記通信素子により送信又は受信される波長の電波を透過するとともに可視光の全ての波長のうちの少なくとも一部の波長の光を反射する光反射フィルム（例えば、図２の光反射フィルム１４ｂ等）とを備えることを特徴としている。
【００１２】
請求項６に記載の発明の電子機器（例えば、図１の腕時計１００等）は、
少なくとも外光入射側が開口してなる機器ケース（例えば、図２の時計ケース２等）と、この機器ケース内に配設され、電波を用いて情報の送信及び受信のうちの少なくとも何れか一方を行う通信素子（例えば、図４のアンテナ１３等）と、この通信素子よりも外光入射側にて前記通信素子と重なるように前記機器ケース内に配設された装飾板（例えば、図４の文字板１１４等）と、を備え、
前記装飾板は、
電波透過性を有し、且つ、透明若しくは半透明に形成された基材（例えば、図４の基材１４ａ等）と、
この基材の外光入射側と反対側に設けられ、前記通信素子により送信又は受信される波長の電波を透過するとともに可視光の全ての波長のうちの少なくとも一部の波長の光を反射する光反射フィルム（例えば、図４の光反射フィルム１４ｂ等）とを備えることを特徴としている。
【００１３】
請求項７に記載の発明は、請求項５又は６に記載の電子機器において、
前記光反射フィルムには、入射される光を屈折する光屈折部（例えば、図５の光屈折部ｂ１）が形成されていることを特徴としている。
【００１４】
請求項８に記載の発明は、請求項６に記載の電子機器において、
前記基材には、入射される光を屈折する光屈折部（例えば、図６の光屈折部ａ１）が形成されていることを特徴としている。
【００１５】
請求項９に記載の発明は、請求項５〜８の何れか一項に記載の電子機器において、
前記装飾板は、赤外線及び紫外線のうちの少なくとも何れか一方を透過し、
前記装飾板と前記通信素子との間に、前記装飾板を透過した赤外線及び紫外線のうちの少なくとも何れか一方を受光して発電する太陽電池（例えば、図８の太陽電池１７）が設けられていることを特徴としている。
【００１６】
請求項１０に記載の発明の電子機器（例えば、図８の腕時計２００等）は、
少なくとも外光入射側が開口してなる機器ケース（例えば、図８の時計ケース２）と、この機器ケース内に配設され、赤外線及び紫外線のうちの少なくとも何れか一方を受光して発電する太陽電池（例えば、図８の太陽電池１７）と、この太陽電池よりも外光入射側にて前記太陽電池と重なるように前記機器ケース内に配設された装飾板（例えば、図８の文字板１４）と、を備え、
前記装飾板は、
光透過性を有する基材（例えば、図８の基材１４ａ）と、
この基材の外光入射側に配設され、赤外線及び紫外線のうちの少なくとも何れか一方を透過するとともに可視光の全ての波長のうちの少なくとも一部の波長の光を反射する光反射フィルム（例えば、図８の光反射フィルム１４ｂ）とを備えることを特徴としている。
【００１７】
請求項１１に記載の発明の電子機器（例えば、図８の腕時計２００等）は、
少なくとも外光入射側が開口してなる機器ケース（例えば、図８の時計ケース２）と、この機器ケース内に配設され、赤外線及び紫外線のうちの少なくとも何れか一方を受光して発電する太陽電池（例えば、図８の太陽電池１７）と、この太陽電池よりも外光入射側にて前記太陽電池と重なるように前記機器ケース内に配設された装飾板（例えば、図１０の文字板１１４）と、を備え、
前記装飾板は、
透明若しくは半透明に形成された光透過性を有する基材（例えば、図１０の基材１４ａ）と、
この基材の外光入射側と反対側に設けられ、赤外線及び紫外線のうちの少なくとも何れか一方を透過するとともに可視光の全ての波長のうちの少なくとも一部の波長の光を反射する光反射フィルム（例えば、図１０の光反射フィルム１４ｂ）とを備えることを特徴としている。
【発明の効果】
【００１８】
請求項１に記載の発明によれば、光反射フィルムは、通信素子により送信又は受信される波長の電波を透過して、さらに、光反射フィルムの外光入射側と反対側に配設された基材は、光反射フィルムを透過した電波を透過するので、当該装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射するので、当該光反射フィルムによって通信素子が外光入射側からは見えないこととなって、美的外観に優れたものとすることができる。
【００１９】
請求項２に記載の発明によれば、基材は電波透過性を有し、さらに、基材の外光入射側と反対側に配設された光反射フィルムは、基材を透過した通信素子により送信又は受信される波長の電波を透過するので、当該装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射し、反射された可視光は透明若しくは半透明に形成された基材を透過することとなるので、通信素子が外光入射側からは見えないこととなって、美的外観に優れたものとすることができる。
【００２０】
請求項３に記載の発明によれば、請求項１又は２に記載の発明と同様の効果が得られるのは無論のこと、特に、光反射フィルムに光屈折部が形成されているので、当該光屈折部に対して光が斜めに入射することで可視光の一部の波長の光が光屈折部を透過することとなり、これにより、光反射フィルムの色調を変化させることができ、当該装飾板をより装飾性に優れたものとすることができる。
【００２１】
請求項４に記載の発明によれば、請求項２に記載の発明と同様の効果が得られるのは無論のこと、特に、基材に光屈折部が形成されているので、当該光屈折部を透過した光が光反射フィルムに対して斜めに入射することとなって、可視光の一部の波長の光が光反射フィルムを透過することとなる。これにより、光反射フィルムの色調を変化させることができ、当該装飾板をより装飾性に優れたものとすることができる。
【００２２】
請求項５に記載の発明によれば、光反射フィルムは通信素子により送信又は受信される波長の電波を透過して、さらに、光反射フィルムの外光入射側と反対側に配設された基材は、光反射フィルムを透過した電波を透過するので、装飾板を通信素子よりも外光入射側に配設しても、当該通信素子まで電波が達することとなって、通信素子による電波の通信感度が低下することがない。これにより、機器ケースを金属製としても通信素子による通信を適正に行うことができる。また、光反射フィルムは可視光の全ての波長のうちの少なくとも一部の波長の光を反射するので、当該光反射フィルムによって通信素子が外光入射側からは見えないこととなって、美的外観に優れたものとすることができる。これにより、装飾板を備える電子機器の美的外観をより向上させることができる。
【００２３】
請求項６に記載の発明によれば、基材は電波透過性を有し、さらに、基材の外光入射側と反対側に配設された光反射フィルムは、基材を透過した通信素子により送信又は受信される波長の電波を透過するので、装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射し、反射された可視光は透明若しくは半透明に形成された基材を透過することとなるので、通信素子が外光入射側からは見えないこととなって、美的外観に優れたものとすることができる。これにより、装飾板を備える電子機器の美的外観をより向上させることができる。
【００２４】
請求項７に記載の発明によれば、請求項５又は６に記載の発明と同様の効果が得られるのは無論のこと、特に、光反射フィルムに光屈折部が形成されているので、当該光屈折部に対して光が斜めに入射することで可視光の一部の波長の光が光屈折部を透過することとなり、これにより、光反射フィルムの色調を変化させることができ、当該装飾板をより装飾性に優れたものとすることができる。
【００２５】
請求項８に記載の発明によれば、請求項６に記載の発明と同様の効果が得られるのは無論のこと、特に、基材に光屈折部が形成されているので、当該光屈折部を透過した光が光反射フィルムに対して斜めに入射することとなって、可視光の一部の波長の光が光反射フィルムを透過することとなる。これにより、光反射フィルムの色調を変化させることができ、当該装飾板をより装飾性に優れたものとすることができる。
【００２６】
請求項９に記載の発明によれば、請求項５〜８に記載の発明と同様の効果が得られるのは無論のこと、特に、装飾板は赤外線及び紫外線のうちの少なくとも何れか一方を透過するので、太陽電池よりも外光入射側に装飾板を配設しても、当該装飾板によって太陽電池による受光が妨げられることがなく、当該太陽電池による発電を効率良く行うことができる。
【００２７】
請求項１０に記載の発明によれば、光反射フィルムは太陽電池により受光される赤外線及び紫外線のうちの少なくとも何れか一方を透過して、さらに、光反射フィルムの外光入射側と反対側に配設された基材は、光反射フィルムを透過した光を透過するので、太陽電池よりも外光入射側に装飾板を配設しても、当該装飾板によって太陽電池による受光が妨げられることがなく、当該太陽電池による発電を効率良く行うことができる。また、光反射フィルムは可視光の全ての波長のうちの少なくとも一部の波長の光を反射するので、当該光反射フィルムによって太陽電池が外光入射側からは見えないこととなって、美的外観に優れたものとすることができる。これにより、装飾板を備える電子機器の美的外観をより向上させることができる。
【００２８】
請求項１１に記載の発明によれば、基材は光透過性を有し、さらに、基材の外光入射側と反対側に配設された光反射フィルムは、基材を透過した太陽電池により受光される赤外線及び紫外線のうちの少なくとも何れか一方を透過するので、太陽電池よりも外光入射側に装飾板を配設しても、当該装飾板によって太陽電池による受光が妨げられることがなく、当該太陽電池による発電を効率良く行うことができる。また、光反射フィルムは可視光の全ての波長のうちの少なくとも一部の波長の光を反射して、反射された可視光は透明若しくは半透明に形成された基材を透過することとなるので、太陽電池が外光入射側からは見えないこととなって、美的外観に優れたものとすることができる。これにより、装飾板を備える電子機器の美的外観をより向上させることができる。
【図面の簡単な説明】
【００２９】
【図１】本発明を適用した実施形態１の電子機器として例示する腕時計を示す平面図である。
【図２】図１のII−II線における要部の拡大断面図である。
【図３】図１の腕時計に備わる文字板の電磁波の透過状態を模式的に示した図である。
【図４】変形例１の腕時計に備わる文字板の電磁波の透過状態を模式的に示した図である。
【図５】変形例２の腕時計に備わる文字板の電磁波の透過状態を模式的に示した図である。
【図６】変形例３の腕時計に備わる文字板の電磁波の透過状態を模式的に示した図である。
【図７】変形例４の腕時計に備わる文字板の電磁波の透過状態を模式的に示した図である。
【図８】本発明を適用した実施形態２の電子機器として例示する腕時計の要部の拡大断面図である。
【図９】図８の腕時計に備わる文字板及び太陽電池の電磁波の透過状態を模式的に示した図である。
【図１０】変形例５の腕時計に備わる文字板及び太陽電池の電磁波の透過状態を模式的に示した図である。
【図１１】変形例６の腕時計に備わる文字板及び太陽電池の電磁波の透過状態を模式的に示した図である。
【図１２】変形例７の腕時計に備わる文字板及び太陽電池の電磁波の透過状態を模式的に示した図である。
【図１３】変形例８の腕時計に備わる文字板及び太陽電池の電磁波の透過状態を模式的に示した図である。
【図１４】本発明を適用した実施形態３の電子機器として例示する腕時計の要部の拡大断面図である。
【図１５】図１４の腕時計に備わる無線モジュールを示す平面図（ａ）及び底面図（ｂ）である。
【図１６】変形例９の腕時計の要部の拡大断面図である。
【図１７】本発明を適用した実施形態４の電子機器として例示する腕時計を示す平面図である。
【図１８】図１７のＸＶIII−ＸＶIII線における要部の拡大断面図である。
【発明を実施するための形態】
【００３０】
以下に、本発明について、図面を用いて具体的な態様を説明する。ただし、発明の範囲は、図示例に限定されない。
【００３１】
［実施形態１］
図１は、本発明を適用した実施形態１の電子機器として例示する腕時計を示す平面図であり、図２は、図１のII−II線における要部の拡大断面図である。
図１及び図２に示すように、実施形態１の腕時計１００には、時計計時部１を内部に収納する機器ケースとしての時計ケース２が備えられ、この時計ケース２の時計計時部１を挟んだ両端部、即ち、時計ケース２の当該腕時計１００における１２時方向側及び６時方向側のそれぞれの端部には、当該時計ケース２を手首に装着するためのバンド部材３がバンド軸（図２においては、６時方向側の端部のバンド軸３１のみを図示する。）３１を介して取付けられている。
【００３２】
時計ケース２の上部中央には、その開口を塞ぐようにパッキン４を介して時計ガラス５が装着され、さらに、時計ケース２の上部外周にはベゼル６が配設されている。
また、時計ケース２の下面には、防水リング７を介して裏蓋８が取付けられており、裏蓋８と時計計時部１との間には、緩衝部材９が設けられている。
さらに、時計ケース２の外周部には、当該腕時計１００の各種機能の実行を指示するスイッチ１０が設けられている（図１参照）。
【００３３】
時計計時部１は、図２に示すように、アナログ指針機構１１を備える上部ハウジング１Ａと、この上部ハウジング１Ａよりも外光入射側（図２における上側）と反対側（図２における下側）に配設された下部ハウジング１Ｂとを備えて構成されている。
【００３４】
下部ハウジング１Ｂには、アナログ指針機構１１等の当該腕時計１００の各部を動作させるための電池（図示略）が組み込まれている。下部ハウジング１Ｂと上部ハウジング１Ａとの間には、回路基板１２が配置され、この回路基板１２には、通信素子としてのアン
テナ１３が配設されている。
上部ハウジング１Ａの上面には、文字板１４が配置され、この文字板１４の上面に枠状部材１５が配置されている。
文字板１４、上部ハウジング１Ａ、回路基板１２及び下部ハウジング１Ｂは、時計ケース２の中枠２Ａに取付けられた構造となっている。
【００３５】
アンテナ１３は、電波を用いて情報の送信及び受信のうちの少なくとも何れか一方を行うものである。具体的には、例えば、アンテナ１３は、電波時計用のものであっても良いし、ＲＦ−ＩＤ（Radio Frequency Identification）システムを構成するデータキャリアモジュール用のものであっても良い。
【００３６】
文字板１４は、基材１４ａと、この基材１４ａの外光入射側の面に貼設され、文字等を表す装飾部１４１が印刷等により成形された光反射フィルム１４ｂとを備えている。
基材１４ａは、例えば、プラスチック、ガラス、セラミック等から形成され、電波透過性を有するものである。
光反射フィルム１４ｂは、アンテナ１３により送信又は受信される波長の電波を透過するように所定の高分子材料から構成されている。具体的には、光反射フィルム１４ｂは、例えば、ポリエステル系樹脂やアクリル系樹脂等からなる２種類の薄層が交互に積層され、可視光（例えば、４２０〜８００［ｎｍ］）を反射するように隣合う薄層どうしの境界面にて可視光域の所定の波長の光を反射するものである。即ち、複数の薄層は、隣合う２種類の薄層を一組とし、各組を構成する各薄層の厚さが可視光の所定の波長（λ）の１／４となる程度に設定され、さらに、各組を可視光域の異なる波長の光に対応させることにより可視光域の全ての波長の光を反射することができるようになっている。これにより、光反射フィルム１４ｂの表面は、鏡面のような状態となって、当該文字板１４に金属感を備えさせることができる。
【００３７】
以下に、文字板１４の電磁波の透過状態について図３を参照して説明する。ここで、図３は、文字板１４の電磁波の透過状態を模式的に示した図である。
図３に示すように、所定の外部通信機器から送信され、文字板１４に対して腕時計１００の外光入射側から入射される電波信号は、光反射フィルム１４ｂ及び基材１４ａを透過して、基材１４ａよりも外光入射側と反対側に配設されたアンテナ１３まで達することとなる一方で、アンテナ１３から送信される電波信号は文字板１４を透過して当該腕時計１００の外部に出力されることとなる。
また、腕時計１００に入射される光のうち、可視光は文字板１４の光反射フィルム１４ｂにて反射されるとともに、可視光以外の光（例えば、赤外線や紫外線など）は文字板１４の光反射フィルム１４ｂ及び基材１４ａを透過するようになっている。
このように、上記構成の文字板１４は、アンテナ１３により送信又は受信される波長の電波と可視光以外の光を透過するとともに、可視光を反射するようになっている。
【００３８】
また、文字板１４には、基材１４ａ及び文字板１４を上下に貫通して、アナログ指針機構１１の指針軸が挿通される軸孔１４２が形成されている。
【００３９】
アナログ指針機構１１は、文字板１４の軸孔１４２からその上方に延びる指針軸１１ａと、この指針軸１１ａに取付けられた時針、分針などの指針と、文字板１４の上方にて指針１１ｂを指針軸１１ａを中心として運針する運針機構部１１ｃとを備えて構成されている。
【００４０】
枠状部材１５は、例えば、合成樹脂で形成され、平面視略円形状をなす時計ケース２の内周面部に沿うように略環状に形成された部材である。また、枠状部材１５は、その下端面を文字板１４の周縁部の上面に当接させるとともに、当該枠状部材１５の上端面を時計ガラス５の下面にほぼ当接させるようにして、時計ケース２の内周面に装着されている（図２参照）。
【００４１】
以上のように、実施形態１の腕時計１００によれば、光反射フィルム１４ｂは、アンテナ１３により送信又は受信される波長の電波を透過して、さらに、光反射フィルム１４ｂの外光入射側と反対側に配設された基材１４ａは、光反射フィルム１４ｂを透過した電波を透過するので、文字板１４をアンテナ１３よりも外光入射側に配設しても、当該アンテナ１３まで電波が達することとなって、アンテナ１３による電波の通信感度が低下することがない。これにより、時計ケース２を金属製としてもアンテナ１３による通信を適正に行うことができる。
また、光反射フィルム１４ｂは、可視光域の全ての波長の光を反射するので、文字板１４に金属感を備えさせて高級感を向上させることができ、さらに、光反射フィルム１４ｂによってアンテナ１３が外光入射側からは見えないこととなって、美的外観に優れたものとすることができる。これにより、文字板１４を備える腕時計１００の美的外観をより向上させることができる。
【００４２】
＜変形例１＞
なお、上記実施形態１では、文字板１４として基材１４ａの外光入射側の面に光反射フィルム１４ｂが配設されたものを例示したが、例えば、光反射フィルム１４ｂが基材１４ａの外光入射側と反対側の面に配設されたものであっても良い（図４参照）。
即ち、図４に示すように、変形例１の腕時計には、電波透過性を有し、且つ、透明若しくは半透明に形成された基材１４ａの外光入射側と反対側の面に光反射フィルム１４ｂが配設された文字板１１４が設けられている。
そして、かかる場合、文字板１１４に対して腕時計の外光入射側から入射された電波は、上記実施形態１と同様に、文字板１１４を透過して、当該文字板１１４よりも外光入射側と反対側に配設されたアンテナ１３まで達することとなる一方で、アンテナ１３から送信される電波信号は文字板１１４を透過して当該腕時計の外部に出力されることとなる。
また、腕時計に入射される光のうち、可視光は文字板１１４の基材１４ａを透過して光反射フィルム１４ｂにて反射されるとともに、可視光以外の光は文字板１１４を透過するようになっている。
【００４３】
なお、基材１４ａの外光入射側の所定位置には、装飾部１４１が設けられている。
【００４４】
従って、変形例１の腕時計によれば、基材１４ａは電波透過性を有し、さらに、基材１４ａの外光入射側と反対側に配設された光反射フィルム１４ｂは、基材１４ａを透過したアンテナ１３により送信又は受信される波長の電波を透過するので、文字板１１４をアンテナ１３よりも外光入射側に配設しても、当該アンテナ１３まで電波が達することとなって、アンテナ１３による電波の通信感度が低下することがない。
また、光反射フィルム１４ｂは、可視光域の全ての波長の光を反射し、反射された可視光は透明若しくは半透明に形成された基材１４ａを透過することとなるので、文字板１１４に金属感を備えさせて高級感を向上させることができ、さらに、アンテナ１３が外光入射側からは見えないこととなって、美的外観に優れたものとすることができる。これにより、文字板１１４を備える腕時計の美的外観をより向上させることができる。
【００４５】
＜変形例２＞
変形例２の腕時計の文字板２１４は、入射される光を所定方向に所定角度屈折させるような形状の光屈折部ｂ１が形成された光反射フィルム２１４ｂを備えている（図５（ａ）及び図５（ｂ）参照）。
光屈折部ｂ１は、例えば、光反射フィルム２１４ｂの所定位置に凹凸加工が施されることで形成されるものである。この光屈折部ｂ１の表面に対して斜めに可視光が入射する場合、当該可視光の入射方向に沿った光屈折部ｂ１の各薄層の厚さが可視光の所定の波長（λ）の１／４よりも大きく、このために、可視光域の一部の波長の光が光屈折部ｂ１を透過することとなる。
なお、光屈折部ｂ１を有する光反射フィルム２１４ｂは、図５（ａ）に示すように、基材１４ａの外光入射側の面に配設されても良いし、図５（ｂ）に示すように、基材１４ａの外光入射側と反対側の面に配設されても良い。
【００４６】
また、図５（ｂ）に示す腕時計にあっては、基材１４ａの外光入射側と反対側の面の所定位置には装飾部１４１が設けられ、当該基材１４ａの外光入射側と反対側の面を被覆するように光反射フィルム２１４ｂが貼設されている。
【００４７】
従って、変形例２の腕時計によれば、光反射フィルム２１４ｂに対して斜めに光が入射することで可視光域の一部の波長の光が光屈折部ｂ１を透過することとなり、これにより、光反射フィルム１４ｂの色調を変化させることができ、当該文字板２１４をより装飾性に優れたものとすることができる。
【００４８】
＜変形例３＞
変形例３の腕時計の文字板３１４は、入射される光を所定方向に所定角度屈折させるような形状の光屈折部ａ１が形成された基材３１４ａを備えている（図６（ａ）及び図６（ｂ）参照）。
光屈折部ａ１は、図６（ａ）に示すように、基材３１４ａの外光入射側の面に形成されても良いし、図６（ｂ）に示すように、基材３１４ａの外光入射側と反対側の面に形成されても良い。
また、光屈折部ａ１は、例えば、基材３１４ａの所定位置に所定の凹凸加工が施されることで形成されるものである。
【００４９】
従って、変形例３の腕時計によれば、基材３１４ａの光屈折部ａ１を透過した光が光反射フィルム１４ｂに対して斜めに入射することとなって、可視光域の一部の波長の光が光反射フィルム１４ｂを透過することとなる。これにより、光反射フィルム１４ｂの色調を変化させることができ、当該文字板３１４をより装飾性に優れたものとすることができる。
【００５０】
＜変形例４＞
上記実施形態１並びに変形例１〜３では、回路基板１２に通信素子としてのアンテナ１３のみが配設されたものを例示したが、アンテナ１３に加えて赤外線及び紫外線のうちの少なくとも何れか一方を検出するためのセンサ１６（受光素子）が配設されていても良い（図７参照）。
かかる場合、文字板１４に対して腕時計の外光入射側から入射された光のうち、可視光以外の光は、文字板１４の光反射フィルム１４ｂ及び基材１４ａを透過してセンサ１６に入射されるようになっている。
【００５１】
従って、変形例４の腕時計によれば、文字板１４を透過した赤外線又は紫外線がセンサ１６により受光されることとなって、当該センサ１６により赤外線及び紫外線の検出を効率良く行うことができる。
【００５２】
［実施形態２］
以下に、実施形態２の腕時計２００について図８及び図９を参照して説明する。
ここで、図８は、本発明を適用した実施形態２の電子機器として例示する腕時計２００の要部の拡大断面図であり、図９は、腕時計２００に備わる文字板１４及び太陽電池１７の電磁波の透過状態を模式的に示した図である。
なお、実施形態２の腕時計２００は、太陽電池１７を備える以外の点では上記実施形態１と略同様であるので、同様の構成には同一の符号を付してその説明を省略するものとする。
【００５３】
図８に示すように、実施形態２の腕時計２００には、アンテナ１３と文字板１４との間に、外光入射側から見て当該文字板１４と重なるように太陽電池１７が配設されている。
太陽電池１７は、赤外線及び紫外線のうちの少なくとも何れか一方を受光して発電するように構成されている。具体的には、例えば、赤外線領域の波長の光を受光することにより効率良く発電する結晶系シリコン太陽電池や、紫外線領域の波長の光を受光することにより効率良く発電する、酸化亜鉛半導体と銅アルミ酸化物半導体とを接合してなる太陽電池等が知られている。
なお、太陽電池１７により発電された電力は、二次電池（図示略）に充電され、この二次電池に充電した電力が腕時計２００の電力として使用されるようになっている。
【００５４】
次に、図９を参照して文字板１４及び太陽電池１７の電磁波の透過状態について説明する。
図９に示すように、文字板１４に対して腕時計２００の外光入射側から入射された電磁波のうち、電波は文字板１４を構成する光反射フィルム１４ｂ及び基材１４ａを透過し、さらに、太陽電池１７を透過して、アンテナ１３まで達するようになっている。一方、腕時計２００に入射される光のうち、可視光は文字板１４の光反射フィルム１４ｂにて反射されるとともに、可視光以外の光（例えば、赤外線や紫外線など）は文字板１４の光反射フィルム１４ｂ及び基材１４ａを透過して太陽電池１７に入射されるようになっている。
【００５５】
以上のように、実施形態２の腕時計２００によれば、光反射フィルム１４ｂは太陽電池１７により受光される赤外線及び紫外線のうちの少なくとも何れか一方を透過して、さらに、光反射フィルム１４ｂの外光入射側と反対側に配設された基材１４ａは、光反射フィルム１４ｂを透過した光を透過するので、太陽電池１７よりも外光入射側に文字板１４を配設しても、当該文字板１４によって太陽電池１７による受光が妨げられることがなく、当該太陽電池１７による発電を効率良く行うことができる。また、文字板１４及び太陽電池１７は電波を透過するので、これら文字板１４及び太陽電池１７よりも外光入射側と反対側に配設されたアンテナ１３まで電波が達することとなって、アンテナ１３による電波の通信感度が低下することがない。
さらに、光反射フィルム１４ｂは可視光域の全ての波長の光を反射するので、文字板１４に金属感を備えさせて高級感を向上させることができ、また、光反射フィルム１４ｂによって太陽電池１７及びアンテナ１３が外光入射側からは見えないこととなって、美的外観に優れたものとすることができる。これにより、文字板１４を備える腕時計２００の美的外観をより向上させることができる。
【００５６】
＜変形例５＞
変形例５の腕時計の文字板１１４は、光反射フィルム１４ｂが基材１４ａの外光入射側と反対側の面に配設されている（図１０参照）。
即ち、図１０に示すように、変形例５の腕時計には、光反射フィルム１４ｂが電波透過性を有し、且つ、透明若しくは半透明に形成された基材１４ａの外光入射側と反対側の面に配設された文字板１１４が設けられている。
そして、文字板１１４に対して腕時計の外光入射側から入射された電波は、上記実施形態２と同様に、文字板１１４を透過し、さらに、太陽電池１７を透過してアンテナ１３まで達するようになっている。一方、腕時計に入射される光のうち、可視光は文字板１１４の基材１４ａを透過して光反射フィルム１４ｂにて反射されるとともに、可視光以外の光は文字板１１４を透過して太陽電池１７に入射されるようになっている。
【００５７】
従って、変形例５の腕時計によれば、上記実施形態２と同様に、文字板１１４よりも外光入射側と反対側に太陽電池１７を配設しても、太陽電池１７による受光が文字板１４によって妨げられることがなく、太陽電池１７による発電を効率良く行うことができる。また、文字板１１４及び太陽電池１７よりも外光入射側と反対側に配設されたアンテナ１３まで電波が達することとなって、アンテナ１３による電波の通信感度が低下することがない。
さらに、光反射フィルム１４ｂは可視光域の全ての波長の光を反射するので、文字板１１４に金属感を備えさせて高級感を向上させることができ、また、光反射フィルム１４ｂによって太陽電池１７及びアンテナ１３が外光入射側からは見えないこととなって、美的外観に優れたものとすることができる。これにより、文字板１１４を備える腕時計の美的外観をより向上させることができる。
【００５８】
＜変形例６＞
変形例６の腕時計の文字板２１４は、光屈折部ｂ１が形成された光反射フィルム２１４ｂを備えている（図１１（ａ）及び図１１（ｂ）参照）。
光屈折部ｂ１を有する光反射フィルム２１４ｂは、図１１（ａ）に示すように、基材１４ａの外光入射側の面に配設されても良いし、図１１（ｂ）に示すように、基材１４ａの外光入射側と反対側の面に配設されても良い。
【００５９】
また、文字板２１４の外光入射側と反対側には、例えば、赤外線及び紫外線のうちの何れか一方に加えて、可視光域の所定の波長の光を受光して発電するように構成された太陽電池１７が配設されている。
【００６０】
従って、変形例６の腕時計によれば、光反射フィルム２１４ｂに対して斜めに光が入射することで可視光域の一部の波長の光が光屈折部ｂ１を透過することとなる。これにより、光反射フィルム２１４ｂの色調を変化させることができ、当該文字板２１４をより装飾性に優れたものとすることができるとともに、太陽電池１７は、文字板２１４を透過した赤外線及び紫外線に加えて可視光域の波長の光を利用して発電することができ、当該太陽電池１７による発電効率を高めることができる。
【００６１】
＜変形例７＞
変形例７の腕時計の文字板３１４は、光屈折部ａ１が形成された基材３１４ａを備えている（図１２（ａ）及び図１２（ｂ）参照）。
光屈折部ａ１は、図１２（ａ）に示すように、基材３１４ａの外光入射側の面に形成されても良いし、図１２（ｂ）に示すように、基材３１４ａの外光入射側と反対側の面に形成されても良い。
【００６２】
また、文字板３１４の外光入射側と反対側には、変形例６の太陽電池１７と略同様の機能を有する太陽電池１７が配設されている。
【００６３】
従って、変形例７の腕時計によれば、基材３１４ａの光屈折部ａ１を透過した光が光反射フィルム１４ｂに対して斜めに入射することとなって、可視光域の一部の波長の光が光反射フィルム１４ｂを透過することとなる。これにより、光反射フィルム１４ｂの色調を変化させることができ、当該文字板３１４をより装飾性に優れたものとすることができるとともに、太陽電池１７は文字板３１４を透過した可視光域の波長の光を利用して発電することができ、当該太陽電池１７による発電効率を高めることができる。
【００６４】
＜変形例８＞
上記実施形態２並びに変形例５〜７では、回路基板１２に通信素子としてのアンテナ１３が配設されたものを例示したが、これに限られるものではなく、例えば、アンテナ１３が配設されていない腕時計であっても良い（図１３（ａ）及び図１３（ｂ）参照）。
かかる場合、文字板１４に対して腕時計の外光入射側から入射された光のうち、可視光は、文字板１４の光反射フィルム１４ｂにて反射され、一方、可視光以外の光は、文字板１４の光反射フィルム１４ｂ及び基材１４ａを透過して太陽電池１７に入射されるようになっている。
【００６５】
従って、変形例８の腕時計によれば、光反射フィルム１４ｂは太陽電池１７により受光される赤外線及び紫外線のうちの少なくとも何れか一方を透過して、さらに、光反射フィルム１４ｂの外光入射側と反対側に配設された基材１４ａは、光反射フィルム１４ｂを透過した光を透過するので、太陽電池１７よりも外光入射側に文字板１４を配設しても、当該文字板１４によって太陽電池１７による受光が妨げられることがなく、当該太陽電池１７による発電を効率良く行うことができる。
また、光反射フィルム１４ｂは可視光域の全ての波長の光を反射するので、文字板１４に金属感を備えさせて高級感を向上させることができ、さらに、光反射フィルム１４ｂによって太陽電池１７が外光入射側からは見えないこととなって、美的外観に優れたものとすることができる。これにより、文字板１４を備える腕時計の美的外観をより向上させることができる。
【００６６】
［実施形態３］
以下に、実施形態３の腕時計３００について図１４及び図１５を参照して説明する。
ここで、図１４は、本発明を適用した実施形態３の電子機器として例示する腕時計３００の要部の拡大断面図である。
なお、実施形態３の腕時計３００は、アンテナ１３の代わりに無線モジュール１８を備える以外の点では上記実施形態１及び実施形態２と略同様であるので、同様の構成には同一の符号を付してその説明を省略するものとする。
【００６７】
図１４に示すように、実施形態３の腕時計３００は、その時計ケース２内の文字板１４よりも外光入射側と反対側に設けられ、外部通信機器（図示略）との間で電波により情報の送受信を行うための無線モジュール（通信素子）１８を備えている。
【００６８】
以下に、無線モジュール１８について図１５を参照して説明する。
ここで、図１５（ａ）は、無線モジュール１８の枠状部１８１の外光入射側を示す平面図であり、図１５（ｂ）は、図１５（ａ）の無線モジュール１８の裏側、即ち、枠状部１８１の外光入射側と反対側を示す底面図である。
【００６９】
図１５に示すように、無線モジュール１８は、例えば、平面視略環状に形成されてなる枠状部１８１と、この枠状部１８１の外周の一端部から延出して形成されたリード部１８２とを有するフレキシブル基板１８３を備えている。
【００７０】
枠状部１８１は、時計ケース２に時計ガラス５が取付けられている開口の内部形状に応じた形状に形成されている。即ち、枠状部１８１は、その外周部が平面視略円形状をなす時計ケース２に時計ガラス５が取付けられている開口の内周面部に沿うような略円環状に形成されている。そして、枠状部１８１のほぼ全面には、その表裏面に亘って略渦巻き状にコイルが配線され、外部通信機器との間で情報の送受信を行うためのアンテナ１８Ａが設けられている。
【００７１】
リード部１８２は、その枠状部１８１と反対側となる部分の裏面に、アンテナ１８Ａと電気的に接続されたＩＣチップ１８４と、所定数（図１５（ｂ）には、３つ図示）のコンデンサ１８５と、ＩＣチップ１８４と接続線を介して接続され、当該ＩＣチップ１８４と回路基板１２とを電気的に接続するための所定数（図１５（ｂ）には、５つ図示）の接続端子１８６が配設されている。
さらに、リード部１８２は、その枠状部１８１側の端部が枠状部１８１に対し略直角となるように第一折曲部１８２ａにて時計ケース２の奥側に折り曲げられ、また、第一折曲部１８２ａよりも先端側が、枠状部１８１と対向するように第二折曲部１８２ｂにて時計ケース２の中心側に折り曲げられており、時計ケース２内に配設された状態で全体として断面略コ字状となるように形成されている（図１４参照）。
【００７２】
また、接続端子１８６と回路基板１２の端子接続部（図示略）とは、下部ハウジング１Ｂの回路基板１２側の面に形成された座ぐり部１９内に収容された抑え板２０によって接続端子１８６が下側から回路基板１２側に押圧されることにより電気的に接続されている（図１４参照）。
なお、この際の押圧力は、抑え板２０の板厚や座ぐり部１９の深さによって調整可能となっている。
【００７３】
上記構成によれば、文字板１４に対して腕時計３００の外光入射側から入射される電波信号は、文字板１４を構成する光反射フィルム１４ｂ及び基材１４ａを透過して、文字板１４よりも外光入射側と反対側に配設された無線モジュール１８のアンテナ１８Ａまで達することとなる一方で、無線モジュール１８のアンテナ１８Ａから送信される電波信号は、文字板１４を透過して当該腕時計３００の外部に出力されることとなる。
また、腕時計３００に入射される光のうち、可視光は文字板１４の光反射フィルム１４ｂにて反射されるとともに、可視光以外の光は文字板１４の光反射フィルム１４ｂ及び基材１４ａを透過して太陽電池１７に入射するようになっている。
【００７４】
以上のように、実施形態３の腕時計３００によれば、光反射フィルム１４ｂは、無線モジュール１８のアンテナ１８Ａにより送信又は受信される波長の電波を透過して、さらに、基材１４ａは光反射フィルム１４ｂを透過した電波を透過するので、文字板１４を無線モジュール１８よりも外光入射側に配設しても、当該無線モジュール１８のアンテナ１８Ａまで電波が達することとなって、アンテナ１３による電波の通信感度が低下することがない。
また、光反射フィルム１４ｂは、可視光域の全ての波長の光を反射するので、文字板１４に金属感を備えさせて高級感を向上させることができ、さらに、光反射フィルム１４ｂによって無線モジュール１８が外光入射側からは見えないこととなって、美的外観に優れたものとすることができる。これにより、文字板１４を備える腕時計３００の美的外観をより向上させることができる。
【００７５】
＜変形例９＞
変形例９の腕時計４００は、実施形態３の腕時計３００における文字板１４と無線モジュール１８との間に、太陽電池１７が配設されている（図１６参照）。即ち、太陽電池１７は、その外光入射側の面を文字板１４の外光入射側と反対側の面に対向させるように配設されている。
【００７６】
従って、変形例９の腕時計４００によれば、文字板１４は赤外線及び紫外線のうちの少なくとも何れか一方を透過するので、太陽電池１７よりも外光入射側に文字板１４を配設しても、当該文字板１４によって太陽電池１７による受光が妨げられることがなく、当該太陽電池１７による発電を効率良く行うことができる。
【００７７】
なお、上記実施形態１〜３並びに変形例１〜９にあっては、装飾板として文字板１４、１１４、２１４、３１４を例示したが、これに限られるものではなく、所定の装飾が施されたものであれば如何なるものであっても良い。
【００７８】
［実施形態４］
以下に、実施形態４の腕時計５００について図１７及び図１８を参照して説明する。
ここで、図１７は、本発明を適用した実施形態４の電子機器として例示する腕時計５００を示す平面図であり、図１８は、図１７のＸＶIII−ＸＶIII線における要部の拡大断面図である。
【００７９】
図１７及び図１８に示すように、実施形態４の腕時計５００は、時計ケース５０２内に時計計時部５０１が収納され、その時計計時部５０１の回路基板５１２に、文字板５１４の所定位置（例えば、１２時方向側の端部）を照明するためのＬＥＤ２１が接続されている。
また、時計ケース５０２の１２時方向側の端部に形成されたバンド取付部５０２Ａには、回路基板５１２と接続線１３１を介して電気的に接続されたアンテナ１３が配設されている。
具体的には、バンド取付部５０２Ａには、アンテナ１３を収納するためのアンテナ収納部５２１が形成され、このアンテナ収納部５２１の外光入射側の開口を覆うように光反射カバー部材５２２が配設されている。この光反射カバー部材５２２は、例えば、所定の樹脂に光反射フィルム１４ｂをインサート成形することで形成されている。これにより、電波は、当該光反射カバー部材５２２を透過することでアンテナ１３まで達するようになっており、また、可視光は光反射カバー部材５２２にて反射されるようになっている。
【００８０】
従って、実施形態４の腕時計５００によれば、光反射カバー部材５２２は、アンテナ１３により送信又は受信される電波信号を透過するので、アンテナ１３による電波信号の通信感度が低下することがない。
また、光反射カバー部材５２２は、可視光域の全ての波長の光を反射するので、光反射カバー部材５２２に金属感を備えさせて高級感を向上させることができ、さらに、光反射カバー部材５２２によってアンテナ１３が時計ケース５０２の外光入射側からは見えないこととなって、腕時計５００を美的外観に優れたものとすることができる。
【００８１】
なお、本発明は、上記実施形態に限定されることなく、本発明の趣旨を逸脱しない範囲において、種々の改良並びに設計の変更を行っても良い。
例えば、上記実施形態１〜４の腕時計１００〜４００並びに変形例１〜９の腕時計に係る光反射フィルム１４ｂ、２１４ｂ並びに光反射カバー部材５２２は、可視光域の全ての波長の光を反射するようにしたが、これに限られるものではなく、例えば、可視光の全ての波長のうちの少なくとも一部の波長の光を反射することができれば良い。即ち、光反射フィルム１４ｂ、２１４ｂ並びに光反射カバー部材５２２よりも外光入射側と反対側に配設されるアンテナ１３、センサ１６及び無線モジュール１８が、時計ケース２、５０２の外光入射側からは見えないこととすることができれば良く、これにより、腕時計１００〜４００並びに変形例１〜９に係る腕時計を美的外観に優れたものとすることができる。
なお、可視光のうち、光反射フィルム１４ｂ、２１４ｂ並びに光反射カバー部材５２２により反射される所定の波長の光は、複数の薄層のうちの、隣合う２種類の薄層からなる各組の各々の薄層の厚さを目的とする所定の波長（λ）の１／４となる程度に設定することで調整することができる。
【００８２】
また、光反射フィルム１４ｂ、２１４ｂとして、例えば、ガラス等の所定の基材に誘電体を蒸着等により多層構造に設けたものを適用しても良い。
また、光反射カバー部材５２２はインサート成形に限らず、光反射カバー部材５２２自体に誘電体を蒸着等により多層構造に設けたものを適用しても良い。
【００８３】
さらに、電子機器として腕時計１００〜４００を例示したが、これに限られるものではなく、装飾板を備える電子機器であれば如何なるものであっても良い。
【符号の説明】
【００８４】
１００、２００、３００、４００、５００  腕時計（電子機器）
２、５０２  時計ケース（機器ケース）
１３  アンテナ（通信素子）
１４、１１４、２１４、３１４  文字板（装飾板）
１４ａ、３１４ａ  基材
１４ｂ、２１４ｂ  光反射フィルム
ａ１、ｂ１  光屈折部
１７  太陽電池
１８  無線モジュール（通信素子）
１８Ａ  アンテナ
５２２  光反射カバー部材
【図１】
2011185953.tif 000003
【図２】
2011185953.tif 000004
【図３】
2011185953.tif 000005
【図４】
2011185953.tif 000006
【図５】
2011185953.tif 000007
【図６】
2011185953.tif 000008
【図７】
2011185953.tif 000009
【図８】
2011185953.tif 000010
【図９】
2011185953.tif 000011
【図１０】
2011185953.tif 000012
【図１１】
2011185953.tif 000013
【図１２】
2011185953.tif 000014
【図１３】
2011185953.tif 000015
【図１４】
2011185953.tif 000016
【図１５】
2011185953.tif 000017
【図１６】
2011185953.tif 000018
【図１７】
2011185953.tif 000019
【図１８】
2011185953.tif 000020
【手続補正書】
【提出日】平成23年7月19日(2011.7.19)
【手続補正１】
【補正対象書類名】明細書
【補正対象項目名】全文
【補正方法】変更
【補正の内容】
【発明の詳細な説明】
【技術分野】
【０００１】
本発明は、腕時計、携帯電話機などの各種の電子機器に適用される電子機器に関する。
【背景技術】
【０００２】
従来より、腕時計等に備わる文字板等の装飾板としては、より装飾性に優れた高級感のあるもの、例えば金属感を備えるものなどが好まれている。
ところで、文字板に金属感を備えさせる方法として、金属蒸着やメタリック印刷又は塗装等が知られている。しかしながら、かかる方法により形成される文字板では、電波を通過させることが困難となるために、電波を用いて外部通信機器に情報を送信したり外部通信機器から送信された情報を受信するためのアンテナを配置しても、情報の送信や受信を適正に行うことができないといった問題がある。
そこで、文字板として、プラスチックなどの非導電性、且つ、非磁性の材料から形成したものが知られている（例えば、特許文献１参照。）。
【０００３】
また、腕時計として、光エネルギーを電気エネルギーに変換する太陽電池を搭載し、当該太陽電池により発電された電力により駆動するものが知られている。
【先行技術文献】
【特許文献】
【０００４】
【特許文献１】特開２００５−３６７５号公報
【発明の概要】
【発明が解決しようとする課題】
【０００５】
しかしながら、上記特許文献１等の場合、文字板等の装飾板に高級感を備えさせることができず、腕時計等の電子機器の高級感の向上を図ることができないといった問題がある。
また、太陽電池を搭載する腕時計等の場合、文字板の一部を切り欠き、この切り欠かれた部分に太陽電池がその表面を露出させるように搭載されるため、文字板の装飾性が低下してしまうといった問題もある。一方、文字板を切り欠かずに当該文字板の外光入射側と反対側に太陽電池を配設することも考えられるが、この場合には、太陽電池による発電をより効率良く行うことができるように当該太陽電池による受光を遮らない光透過性を有する文字板を配設する必要があるため、文字板に高級感を備えさせることが困難となる。
【０００６】
そこで、本発明の課題は、金属製の機器ケースを用いた場合でも、電波の受信感度を低下させることもなく、美的外観に優れ、しかも、太陽電池による発電を効率よく行うことができる電子機器を提供することである。
【課題を解決するための手段】
【０００７】
請求項１に記載の発明に係る電子機器は、
一端開口が時計ガラス（例えば、図８の時計ガラス５）で閉塞され、他端開口が裏蓋（例えば、裏蓋８）で閉塞されている金属製の機器ケース（例えば、図８の時計ケース２）内に、当該機器ケースの一端開口側から順に、文字板（例えば、図８の文字板１４、図１１（ｂ）の文字板２１４）、太陽電池（例えば、図８及び図１１（ｂ）の太陽電池１７）、電波を用いて情報の受信を行うアンテナ（例えば、図８及び図１１（ｂ）のアンテナ１３）が配設されている電子機器（例えば、図８の腕時計２００）において、
前記文字板は、
前記時計ガラス側から受信された電波を前記アンテナ側に透過させる電波透過性を有し、かつ、前記時計ガラス側から入光された外光を前記太陽電池側に透過させる透明または半透明の基材（例えば、図１１（ｂ）の基材１４ａ）と、
この基材側から受信された電波を前記アンテナ側に透過させる一方で、前記基材側から入光された外光の一部を前記太陽電池側に透過させ、一部を前記時計ガラス側に反射させるために、前記基材の外光入射側と反対側の位置に配設された光反射フィルム（例えば、図１１（ｂ）の光反射フィルム２１４ｂ）とを備えており、
前記光反射フィルムは、前記太陽電池側の面に、前記時計ガラス側から入光された可視光域の波長の光を所定方向に所定角度屈折させるために、凹凸加工が施された光屈折部（例えば、図１１（ｂ）の光屈折部ｂ１）を形成していることを特徴とする。
【０００８】
請求項２に記載の発明に係る電子機器は、
金属製の機器ケース（例えば、図８の時計ケース２）内に、当該機器ケースの一端開口側から順に、風防ガラス（例えば、図８の時計ガラス５）、装飾板（例えば、図８の文字板１４、図１１（ｂ）の文字板２１４）、太陽電池（例えば、図８及び図１１（ｂ）の太陽電池１７）、電波を用いて情報の受信を行うアンテナ（例えば、図８及び図１１（ｂ）のアンテナ１３）が配設されている電子機器（例えば、図８の腕時計２００）において、
前記装飾板は、
前記風防ガラス側から受信された電波を前記アンテナ側に透過させる電波透過性を有し、かつ、前記風防ガラス側から入光された外光を前記太陽電池側に透過させる透明または半透明の基材（例えば、図１１（ｂ）の基材１４ａ）と、
この基材側から受信された電波を前記アンテナ側に透過させる一方で、前記基材側から入光された外光の一部を前記太陽電池側に透過させ、一部を前記風防ガラス側に反射させるために、前記基材の外光入射側と反対側の位置に配設された光反射フィルム（例えば、図１１（ｂ）の光反射フィルム２１４ｂ）とを備えており、
前記光反射フィルムは、前記太陽電池側の面に、前記風防ガラス側から入光された可視光域の波長の光を所定方向に所定角度屈折させるために、凹凸加工が施された光屈折部（例えば、図１１（ｂ）の光屈折部ｂ１）を形成していることを特徴とする。
【０００９】
請求項３に記載の発明は、請求項１又は２に記載の電子機器において、
前記光反射フィルムは、高分子材料から構成されている（［００３４］）ことを特徴とする。
【００１０】
請求項４に記載の発明は、請求項１又は２に記載の電子機器において、
前記光反射フィルムは、前記基材側から入射された電波を透過させる一方で、前記光屈折部を介して、前記基材側から入光された可視光域の波長の光を、隣合う薄層どうしの境界面にて反射させるために、薄層を交互に積層して構成されている（［００３４］）ことを特徴とする。
【００１１】
【００１２】
【００１３】
【００１４】
【００１５】
【００１６】
【００１７】
【発明の効果】
【００１８】
請求項１に記載の発明によれば、時計ガラス側から受信された電波をアンテナ側に透過させる電波透過性を有する基材と、この基材側から受信された電波をアンテナ側に透過させる光反射フィルムとを備えている文字板で構成されているので、この文字板をアンテナの位置よりも外光入射側の位置に配設されていても、当該アンテナまで電波を導くことができ、文字板の存在にもかかわらず、アンテナによる電波の受信感度が低下するような事態を防止することができる。
また、請求項１に記載の発明によれば、時計ガラス側から入光された外光を太陽電池側に透過させる透明または半透明の基材と、この基材側から入光された外光の一部を太陽電池側に透過させるために、基材の外光入射側と反対側の位置に配設された光反射フィルムとを備えている文字板で構成されているので、この文字板を太陽電池の位置よりも外光入射側の位置に配設されていても、時計ガラス側から入光された外光を太陽電池に効果的に導くことができ、太陽電池による発電を効率よく行うことができる。
さらに、請求項１に記載の発明によれば、基材側から入光された外光の一部を時計ガラス側に反射させる光反射作用を有する光反射フィルムは、太陽電池側の面に、時計ガラス側から入光された可視光域の波長の光を所定方向に所定角度屈折させるために、凹凸加工が施された光屈折部を形成しているので、入光された外光の一部を反射させる光反射作用とこの光屈折部による光屈折作用との相乗作用により、太陽電池及びアンテナが外光入射側（すなわち、時計ガラス側）からは見えないようにすることができ、美的外観に優れた電子機器を得ることができる。
【００１９】
請求項２に記載の発明によれば、請求項１に記載の発明の場合と同様、アンテナによる電波の受信感度が低下するような事態を防止し、また、太陽電池による発電を効率よく行うことができ、さらに、太陽電池及びアンテナが外光入射側（風防ガラス側）からは見えないようにすることができ、美的外観に優れた電子機器を得ることができる。
【００２０】
【００２１】
【００２２】
【００２３】
【００２４】
【００２５】
【００２６】
【００２７】
【００２８】
【図面の簡単な説明】
【００２９】
【図１】本発明を適用した実施形態１の電子機器として例示する腕時計を示す平面図である。
【図２】図１のII−II線における要部の拡大断面図である。
【図３】図１の腕時計に備わる文字板の電磁波の透過状態を模式的に示した図である。
【図４】変形例１の腕時計に備わる文字板の電磁波の透過状態を模式的に示した図である。
【図５】変形例２の腕時計に備わる文字板の電磁波の透過状態を模式的に示した図である。
【図６】変形例３の腕時計に備わる文字板の電磁波の透過状態を模式的に示した図である。
【図７】変形例４の腕時計に備わる文字板の電磁波の透過状態を模式的に示した図である。
【図８】本発明を適用した実施形態２の電子機器として例示する腕時計の要部の拡大断面図である。
【図９】図８の腕時計に備わる文字板及び太陽電池の電磁波の透過状態を模式的に示した図である。
【図１０】変形例５の腕時計に備わる文字板及び太陽電池の電磁波の透過状態を模式的に示した図である。
【図１１】変形例６の腕時計に備わる文字板及び太陽電池の電磁波の透過状態を模式的に示した図である。
【図１２】変形例７の腕時計に備わる文字板及び太陽電池の電磁波の透過状態を模式的に示した図である。
【図１３】変形例８の腕時計に備わる文字板及び太陽電池の電磁波の透過状態を模式的に示した図である。
【図１４】本発明を適用した実施形態３の電子機器として例示する腕時計の要部の拡大断面図である。
【図１５】図１４の腕時計に備わる無線モジュールを示す平面図（ａ）及び底面図（ｂ）である。
【図１６】変形例９の腕時計の要部の拡大断面図である。
【図１７】本発明を適用した実施形態４の電子機器として例示する腕時計を示す平面図である。
【図１８】図１７のＸＶIII−ＸＶIII線における要部の拡大断面図である。
【発明を実施するための形態】
【００３０】
以下に、本発明について、図面を用いて具体的な態様を説明する。ただし、発明の範囲は、図示例に限定されない。
【００３１】
［実施形態１］
図１は、本発明を適用した実施形態１の電子機器として例示する腕時計を示す平面図であり、図２は、図１のII−II線における要部の拡大断面図である。
図１及び図２に示すように、実施形態１の腕時計１００には、時計計時部１を内部に収納する機器ケースとしての時計ケース２が備えられ、この時計ケース２の時計計時部１を挟んだ両端部、即ち、時計ケース２の当該腕時計１００における１２時方向側及び６時方向側のそれぞれの端部には、当該時計ケース２を手首に装着するためのバンド部材３がバンド軸（図２においては、６時方向側の端部のバンド軸３１のみを図示する。）３１を介して取付けられている。
【００３２】
時計ケース２の上部中央には、その開口を塞ぐようにパッキン４を介して時計ガラス５が装着され、さらに、時計ケース２の上部外周にはベゼル６が配設されている。
また、時計ケース２の下面には、防水リング７を介して裏蓋８が取付けられており、裏蓋８と時計計時部１との間には、緩衝部材９が設けられている。
さらに、時計ケース２の外周部には、当該腕時計１００の各種機能の実行を指示するスイッチ１０が設けられている（図１参照）。
【００３３】
時計計時部１は、図２に示すように、アナログ指針機構１１を備える上部ハウジング１Ａと、この上部ハウジング１Ａよりも外光入射側（図２における上側）と反対側（図２における下側）に配設された下部ハウジング１Ｂとを備えて構成されている。
【００３４】
下部ハウジング１Ｂには、アナログ指針機構１１等の当該腕時計１００の各部を動作させるための電池（図示略）が組み込まれている。下部ハウジング１Ｂと上部ハウジング１Ａとの間には、回路基板１２が配置され、この回路基板１２には、通信素子としてのアン
テナ１３が配設されている。
上部ハウジング１Ａの上面には、文字板１４が配置され、この文字板１４の上面に枠状部材１５が配置されている。
文字板１４、上部ハウジング１Ａ、回路基板１２及び下部ハウジング１Ｂは、時計ケース２の中枠２Ａに取付けられた構造となっている。
【００３５】
アンテナ１３は、電波を用いて情報の送信及び受信のうちの少なくとも何れか一方を行うものである。具体的には、例えば、アンテナ１３は、電波時計用のものであっても良いし、ＲＦ−ＩＤ（Radio Frequency Identification）システムを構成するデータキャリアモジュール用のものであっても良い。
【００３６】
文字板１４は、基材１４ａと、この基材１４ａの外光入射側の面に貼設され、文字等を表す装飾部１４１が印刷等により成形された光反射フィルム１４ｂとを備えている。
基材１４ａは、例えば、プラスチック、ガラス、セラミック等から形成され、電波透過性を有するものである。
光反射フィルム１４ｂは、アンテナ１３により送信又は受信される波長の電波を透過するように所定の高分子材料から構成されている。具体的には、光反射フィルム１４ｂは、例えば、ポリエステル系樹脂やアクリル系樹脂等からなる２種類の薄層が交互に積層され、可視光（例えば、４２０〜８００［ｎｍ］）を反射するように隣合う薄層どうしの境界面にて可視光域の所定の波長の光を反射するものである。即ち、複数の薄層は、隣合う２種類の薄層を一組とし、各組を構成する各薄層の厚さが可視光の所定の波長（λ）の１／４となる程度に設定され、さらに、各組を可視光域の異なる波長の光に対応させることにより可視光域の全ての波長の光を反射することができるようになっている。これにより、光反射フィルム１４ｂの表面は、鏡面のような状態となって、当該文字板１４に金属感を備えさせることができる。
【００３７】
以下に、文字板１４の電磁波の透過状態について図３を参照して説明する。ここで、図３は、文字板１４の電磁波の透過状態を模式的に示した図である。
図３に示すように、所定の外部通信機器から送信され、文字板１４に対して腕時計１００の外光入射側から入射される電波信号は、光反射フィルム１４ｂ及び基材１４ａを透過して、基材１４ａよりも外光入射側と反対側に配設されたアンテナ１３まで達することとなる一方で、アンテナ１３から送信される電波信号は文字板１４を透過して当該腕時計１００の外部に出力されることとなる。
また、腕時計１００に入射される光のうち、可視光は文字板１４の光反射フィルム１４ｂにて反射されるとともに、可視光以外の光（例えば、赤外線や紫外線など）は文字板１４の光反射フィルム１４ｂ及び基材１４ａを透過するようになっている。
このように、上記構成の文字板１４は、アンテナ１３により送信又は受信される波長の電波と可視光以外の光を透過するとともに、可視光を反射するようになっている。
【００３８】
また、文字板１４には、基材１４ａ及び文字板１４を上下に貫通して、アナログ指針機構１１の指針軸が挿通される軸孔１４２が形成されている。
【００３９】
アナログ指針機構１１は、文字板１４の軸孔１４２からその上方に延びる指針軸１１ａと、この指針軸１１ａに取付けられた時針、分針などの指針と、文字板１４の上方にて指針１１ｂを指針軸１１ａを中心として運針する運針機構部１１ｃとを備えて構成されている。
【００４０】
枠状部材１５は、例えば、合成樹脂で形成され、平面視略円形状をなす時計ケース２の内周面部に沿うように略環状に形成された部材である。また、枠状部材１５は、その下端面を文字板１４の周縁部の上面に当接させるとともに、当該枠状部材１５の上端面を時計
ガラス５の下面にほぼ当接させるようにして、時計ケース２の内周面に装着されている（図２参照）。
【００４１】
以上のように、実施形態１の腕時計１００によれば、光反射フィルム１４ｂは、アンテナ１３により送信又は受信される波長の電波を透過して、さらに、光反射フィルム１４ｂの外光入射側と反対側に配設された基材１４ａは、光反射フィルム１４ｂを透過した電波を透過するので、文字板１４をアンテナ１３よりも外光入射側に配設しても、当該アンテナ１３まで電波が達することとなって、アンテナ１３による電波の通信感度が低下することがない。これにより、時計ケース２を金属製としてもアンテナ１３による通信を適正に行うことができる。
また、光反射フィルム１４ｂは、可視光域の全ての波長の光を反射するので、文字板１４に金属感を備えさせて高級感を向上させることができ、さらに、光反射フィルム１４ｂによってアンテナ１３が外光入射側からは見えないこととなって、美的外観に優れたものとすることができる。これにより、文字板１４を備える腕時計１００の美的外観をより向上させることができる。
【００４２】
＜変形例１＞
なお、上記実施形態１では、文字板１４として基材１４ａの外光入射側の面に光反射フィルム１４ｂが配設されたものを例示したが、例えば、光反射フィルム１４ｂが基材１４ａの外光入射側と反対側の面に配設されたものであっても良い（図４参照）。
即ち、図４に示すように、変形例１の腕時計には、電波透過性を有し、且つ、透明若しくは半透明に形成された基材１４ａの外光入射側と反対側の面に光反射フィルム１４ｂが配設された文字板１１４が設けられている。
そして、かかる場合、文字板１１４に対して腕時計の外光入射側から入射された電波は、上記実施形態１と同様に、文字板１１４を透過して、当該文字板１１４よりも外光入射側と反対側に配設されたアンテナ１３まで達することとなる一方で、アンテナ１３から送信される電波信号は文字板１１４を透過して当該腕時計の外部に出力されることとなる。
また、腕時計に入射される光のうち、可視光は文字板１１４の基材１４ａを透過して光反射フィルム１４ｂにて反射されるとともに、可視光以外の光は文字板１１４を透過するようになっている。
【００４３】
なお、基材１４ａの外光入射側の所定位置には、装飾部１４１が設けられている。
【００４４】
従って、変形例１の腕時計によれば、基材１４ａは電波透過性を有し、さらに、基材１４ａの外光入射側と反対側に配設された光反射フィルム１４ｂは、基材１４ａを透過したアンテナ１３により送信又は受信される波長の電波を透過するので、文字板１１４をアンテナ１３よりも外光入射側に配設しても、当該アンテナ１３まで電波が達することとなって、アンテナ１３による電波の通信感度が低下することがない。
また、光反射フィルム１４ｂは、可視光域の全ての波長の光を反射し、反射された可視光は透明若しくは半透明に形成された基材１４ａを透過することとなるので、文字板１１４に金属感を備えさせて高級感を向上させることができ、さらに、アンテナ１３が外光入射側からは見えないこととなって、美的外観に優れたものとすることができる。これにより、文字板１１４を備える腕時計の美的外観をより向上させることができる。
【００４５】
＜変形例２＞
変形例２の腕時計の文字板２１４は、入射される光を所定方向に所定角度屈折させるような形状の光屈折部ｂ１が形成された光反射フィルム２１４ｂを備えている（図５（ａ）及び図５（ｂ）参照）。
光屈折部ｂ１は、例えば、光反射フィルム２１４ｂの所定位置に凹凸加工が施されることで形成されるものである。この光屈折部ｂ１の表面に対して斜めに可視光が入射する場合、当該可視光の入射方向に沿った光屈折部ｂ１の各薄層の厚さが可視光の所定の波長（λ）の１／４よりも大きく、このために、可視光域の一部の波長の光が光屈折部ｂ１を透過することとなる。
なお、光屈折部ｂ１を有する光反射フィルム２１４ｂは、図５（ａ）に示すように、基材１４ａの外光入射側の面に配設されても良いし、図５（ｂ）に示すように、基材１４ａの外光入射側と反対側の面に配設されても良い。
【００４６】
また、図５（ｂ）に示す腕時計にあっては、基材１４ａの外光入射側と反対側の面の所定位置には装飾部１４１が設けられ、当該基材１４ａの外光入射側と反対側の面を被覆するように光反射フィルム２１４ｂが貼設されている。
【００４７】
従って、変形例２の腕時計によれば、光反射フィルム２１４ｂに対して斜めに光が入射することで可視光域の一部の波長の光が光屈折部ｂ１を透過することとなり、これにより、光反射フィルム１４ｂの色調を変化させることができ、当該文字板２１４をより装飾性に優れたものとすることができる。
【００４８】
＜変形例３＞
変形例３の腕時計の文字板３１４は、入射される光を所定方向に所定角度屈折させるような形状の光屈折部ａ１が形成された基材３１４ａを備えている（図６（ａ）及び図６（ｂ）参照）。
光屈折部ａ１は、図６（ａ）に示すように、基材３１４ａの外光入射側の面に形成されても良いし、図６（ｂ）に示すように、基材３１４ａの外光入射側と反対側の面に形成されても良い。
また、光屈折部ａ１は、例えば、基材３１４ａの所定位置に所定の凹凸加工が施されることで形成されるものである。
【００４９】
従って、変形例３の腕時計によれば、基材３１４ａの光屈折部ａ１を透過した光が光反射フィルム１４ｂに対して斜めに入射することとなって、可視光域の一部の波長の光が光反射フィルム１４ｂを透過することとなる。これにより、光反射フィルム１４ｂの色調を変化させることができ、当該文字板３１４をより装飾性に優れたものとすることができる。
【００５０】
＜変形例４＞
上記実施形態１並びに変形例１〜３では、回路基板１２に通信素子としてのアンテナ１３のみが配設されたものを例示したが、アンテナ１３に加えて赤外線及び紫外線のうちの少なくとも何れか一方を検出するためのセンサ１６（受光素子）が配設されていても良い（図７参照）。
かかる場合、文字板１４に対して腕時計の外光入射側から入射された光のうち、可視光以外の光は、文字板１４の光反射フィルム１４ｂ及び基材１４ａを透過してセンサ１６に入射されるようになっている。
【００５１】
従って、変形例４の腕時計によれば、文字板１４を透過した赤外線又は紫外線がセンサ１６により受光されることとなって、当該センサ１６により赤外線及び紫外線の検出を効率良く行うことができる。
【００５２】
［実施形態２］
以下に、実施形態２の腕時計２００について図８及び図９を参照して説明する。
ここで、図８は、本発明を適用した実施形態２の電子機器として例示する腕時計２００の要部の拡大断面図であり、図９は、腕時計２００に備わる文字板１４及び太陽電池１７の電磁波の透過状態を模式的に示した図である。
なお、実施形態２の腕時計２００は、太陽電池１７を備える以外の点では上記実施形態１と略同様であるので、同様の構成には同一の符号を付してその説明を省略するものとする。
【００５３】
図８に示すように、実施形態２の腕時計２００には、アンテナ１３と文字板１４との間に、外光入射側から見て当該文字板１４と重なるように太陽電池１７が配設されている。
太陽電池１７は、赤外線及び紫外線のうちの少なくとも何れか一方を受光して発電するように構成されている。具体的には、例えば、赤外線領域の波長の光を受光することにより効率良く発電する結晶系シリコン太陽電池や、紫外線領域の波長の光を受光することにより効率良く発電する、酸化亜鉛半導体と銅アルミ酸化物半導体とを接合してなる太陽電池等が知られている。
なお、太陽電池１７により発電された電力は、二次電池（図示略）に充電され、この二次電池に充電した電力が腕時計２００の電力として使用されるようになっている。
【００５４】
次に、図９を参照して文字板１４及び太陽電池１７の電磁波の透過状態について説明する。
図９に示すように、文字板１４に対して腕時計２００の外光入射側から入射された電磁波のうち、電波は文字板１４を構成する光反射フィルム１４ｂ及び基材１４ａを透過し、さらに、太陽電池１７を透過して、アンテナ１３まで達するようになっている。一方、腕時計２００に入射される光のうち、可視光は文字板１４の光反射フィルム１４ｂにて反射されるとともに、可視光以外の光（例えば、赤外線や紫外線など）は文字板１４の光反射フィルム１４ｂ及び基材１４ａを透過して太陽電池１７に入射されるようになっている。
【００５５】
以上のように、実施形態２の腕時計２００によれば、光反射フィルム１４ｂは太陽電池１７により受光される赤外線及び紫外線のうちの少なくとも何れか一方を透過して、さらに、光反射フィルム１４ｂの外光入射側と反対側に配設された基材１４ａは、光反射フィルム１４ｂを透過した光を透過するので、太陽電池１７よりも外光入射側に文字板１４を配設しても、当該文字板１４によって太陽電池１７による受光が妨げられることがなく、当該太陽電池１７による発電を効率良く行うことができる。また、文字板１４及び太陽電池１７は電波を透過するので、これら文字板１４及び太陽電池１７よりも外光入射側と反対側に配設されたアンテナ１３まで電波が達することとなって、アンテナ１３による電波の通信感度が低下することがない。
さらに、光反射フィルム１４ｂは可視光域の全ての波長の光を反射するので、文字板１４に金属感を備えさせて高級感を向上させることができ、また、光反射フィルム１４ｂによって太陽電池１７及びアンテナ１３が外光入射側からは見えないこととなって、美的外観に優れたものとすることができる。これにより、文字板１４を備える腕時計２００の美的外観をより向上させることができる。
【００５６】
＜変形例５＞
変形例５の腕時計の文字板１１４は、光反射フィルム１４ｂが基材１４ａの外光入射側と反対側の面に配設されている（図１０参照）。
即ち、図１０に示すように、変形例５の腕時計には、光反射フィルム１４ｂが電波透過性を有し、且つ、透明若しくは半透明に形成された基材１４ａの外光入射側と反対側の面に配設された文字板１１４が設けられている。
そして、文字板１１４に対して腕時計の外光入射側から入射された電波は、上記実施形態２と同様に、文字板１１４を透過し、さらに、太陽電池１７を透過してアンテナ１３まで達するようになっている。一方、腕時計に入射される光のうち、可視光は文字板１１４の基材１４ａを透過して光反射フィルム１４ｂにて反射されるとともに、可視光以外の光は文字板１１４を透過して太陽電池１７に入射されるようになっている。
【００５７】
従って、変形例５の腕時計によれば、上記実施形態２と同様に、文字板１１４よりも外光入射側と反対側に太陽電池１７を配設しても、太陽電池１７による受光が文字板１４によって妨げられることがなく、太陽電池１７による発電を効率良く行うことができる。また、文字板１１４及び太陽電池１７よりも外光入射側と反対側に配設されたアンテナ１３まで電波が達することとなって、アンテナ１３による電波の通信感度が低下することがない。
さらに、光反射フィルム１４ｂは可視光域の全ての波長の光を反射するので、文字板１１４に金属感を備えさせて高級感を向上させることができ、また、光反射フィルム１４ｂによって太陽電池１７及びアンテナ１３が外光入射側からは見えないこととなって、美的外観に優れたものとすることができる。これにより、文字板１１４を備える腕時計の美的外観をより向上させることができる。
【００５８】
＜変形例６＞
変形例６の腕時計の文字板２１４は、光屈折部ｂ１が形成された光反射フィルム２１４ｂを備えている（図１１（ａ）及び図１１（ｂ）参照）。
光屈折部ｂ１を有する光反射フィルム２１４ｂは、図１１（ａ）に示すように、基材１４ａの外光入射側の面に配設されても良いし、図１１（ｂ）に示すように、基材１４ａの外光入射側と反対側の面に配設されても良い。
【００５９】
また、文字板２１４の外光入射側と反対側には、例えば、赤外線及び紫外線のうちの何れか一方に加えて、可視光域の所定の波長の光を受光して発電するように構成された太陽電池１７が配設されている。
【００６０】
従って、変形例６の腕時計によれば、光反射フィルム２１４ｂに対して斜めに光が入射することで可視光域の一部の波長の光が光屈折部ｂ１を透過することとなる。これにより、光反射フィルム２１４ｂの色調を変化させることができ、当該文字板２１４をより装飾性に優れたものとすることができるとともに、太陽電池１７は、文字板２１４を透過した赤外線及び紫外線に加えて可視光域の波長の光を利用して発電することができ、当該太陽電池１７による発電効率を高めることができる。
【００６１】
＜変形例７＞
変形例７の腕時計の文字板３１４は、光屈折部ａ１が形成された基材３１４ａを備えている（図１２（ａ）及び図１２（ｂ）参照）。
光屈折部ａ１は、図１２（ａ）に示すように、基材３１４ａの外光入射側の面に形成されても良いし、図１２（ｂ）に示すように、基材３１４ａの外光入射側と反対側の面に形成されても良い。
【００６２】
また、文字板３１４の外光入射側と反対側には、変形例６の太陽電池１７と略同様の機能を有する太陽電池１７が配設されている。
【００６３】
従って、変形例７の腕時計によれば、基材３１４ａの光屈折部ａ１を透過した光が光反射フィルム１４ｂに対して斜めに入射することとなって、可視光域の一部の波長の光が光反射フィルム１４ｂを透過することとなる。これにより、光反射フィルム１４ｂの色調を変化させることができ、当該文字板３１４をより装飾性に優れたものとすることができるとともに、太陽電池１７は文字板３１４を透過した可視光域の波長の光を利用して発電することができ、当該太陽電池１７による発電効率を高めることができる。
【００６４】
＜変形例８＞
上記実施形態２並びに変形例５〜７では、回路基板１２に通信素子としてのアンテナ１３が配設されたものを例示したが、これに限られるものではなく、例えば、アンテナ１３が配設されていない腕時計であっても良い（図１３（ａ）及び図１３（ｂ）参照）。
かかる場合、文字板１４に対して腕時計の外光入射側から入射された光のうち、可視光は、文字板１４の光反射フィルム１４ｂにて反射され、一方、可視光以外の光は、文字板１４の光反射フィルム１４ｂ及び基材１４ａを透過して太陽電池１７に入射されるようになっている。
【００６５】
従って、変形例８の腕時計によれば、光反射フィルム１４ｂは太陽電池１７により受光される赤外線及び紫外線のうちの少なくとも何れか一方を透過して、さらに、光反射フィルム１４ｂの外光入射側と反対側に配設された基材１４ａは、光反射フィルム１４ｂを透過した光を透過するので、太陽電池１７よりも外光入射側に文字板１４を配設しても、当該文字板１４によって太陽電池１７による受光が妨げられることがなく、当該太陽電池１７による発電を効率良く行うことができる。
また、光反射フィルム１４ｂは可視光域の全ての波長の光を反射するので、文字板１４に金属感を備えさせて高級感を向上させることができ、さらに、光反射フィルム１４ｂによって太陽電池１７が外光入射側からは見えないこととなって、美的外観に優れたものとすることができる。これにより、文字板１４を備える腕時計の美的外観をより向上させることができる。
【００６６】
［実施形態３］
以下に、実施形態３の腕時計３００について図１４及び図１５を参照して説明する。
ここで、図１４は、本発明を適用した実施形態３の電子機器として例示する腕時計３００の要部の拡大断面図である。
なお、実施形態３の腕時計３００は、アンテナ１３の代わりに無線モジュール１８を備える以外の点では上記実施形態１及び実施形態２と略同様であるので、同様の構成には同一の符号を付してその説明を省略するものとする。
【００６７】
図１４に示すように、実施形態３の腕時計３００は、その時計ケース２内の文字板１４よりも外光入射側と反対側に設けられ、外部通信機器（図示略）との間で電波により情報の送受信を行うための無線モジュール（通信素子）１８を備えている。
【００６８】
以下に、無線モジュール１８について図１５を参照して説明する。
ここで、図１５（ａ）は、無線モジュール１８の枠状部１８１の外光入射側を示す平面図であり、図１５（ｂ）は、図１５（ａ）の無線モジュール１８の裏側、即ち、枠状部１８１の外光入射側と反対側を示す底面図である。
【００６９】
図１５に示すように、無線モジュール１８は、例えば、平面視略環状に形成されてなる枠状部１８１と、この枠状部１８１の外周の一端部から延出して形成されたリード部１８２とを有するフレキシブル基板１８３を備えている。
【００７０】
枠状部１８１は、時計ケース２に時計ガラス５が取付けられている開口の内部形状に応じた形状に形成されている。即ち、枠状部１８１は、その外周部が平面視略円形状をなす時計ケース２に時計ガラス５が取付けられている開口の内周面部に沿うような略円環状に形成されている。そして、枠状部１８１のほぼ全面には、その表裏面に亘って略渦巻き状にコイルが配線され、外部通信機器との間で情報の送受信を行うためのアンテナ１８Ａが設けられている。
【００７１】
リード部１８２は、その枠状部１８１と反対側となる部分の裏面に、アンテナ１８Ａと電気的に接続されたＩＣチップ１８４と、所定数（図１５（ｂ）には、３つ図示）のコンデンサ１８５と、ＩＣチップ１８４と接続線を介して接続され、当該ＩＣチップ１８４と回路基板１２とを電気的に接続するための所定数（図１５（ｂ）には、５つ図示）の接続端子１８６が配設されている。
さらに、リード部１８２は、その枠状部１８１側の端部が枠状部１８１に対し略直角となるように第一折曲部１８２ａにて時計ケース２の奥側に折り曲げられ、また、第一折曲部１８２ａよりも先端側が、枠状部１８１と対向するように第二折曲部１８２ｂにて時計ケース２の中心側に折り曲げられており、時計ケース２内に配設された状態で全体として断面略コ字状となるように形成されている（図１４参照）。
【００７２】
また、接続端子１８６と回路基板１２の端子接続部（図示略）とは、下部ハウジング１Ｂの回路基板１２側の面に形成された座ぐり部１９内に収容された抑え板２０によって接続端子１８６が下側から回路基板１２側に押圧されることにより電気的に接続されている（図１４参照）。
なお、この際の押圧力は、抑え板２０の板厚や座ぐり部１９の深さによって調整可能となっている。
【００７３】
上記構成によれば、文字板１４に対して腕時計３００の外光入射側から入射される電波信号は、文字板１４を構成する光反射フィルム１４ｂ及び基材１４ａを透過して、文字板１４よりも外光入射側と反対側に配設された無線モジュール１８のアンテナ１８Ａまで達することとなる一方で、無線モジュール１８のアンテナ１８Ａから送信される電波信号は、文字板１４を透過して当該腕時計３００の外部に出力されることとなる。
また、腕時計３００に入射される光のうち、可視光は文字板１４の光反射フィルム１４ｂにて反射されるとともに、可視光以外の光は文字板１４の光反射フィルム１４ｂ及び基材１４ａを透過して太陽電池１７に入射するようになっている。
【００７４】
以上のように、実施形態３の腕時計３００によれば、光反射フィルム１４ｂは、無線モジュール１８のアンテナ１８Ａにより送信又は受信される波長の電波を透過して、さらに、基材１４ａは光反射フィルム１４ｂを透過した電波を透過するので、文字板１４を無線モジュール１８よりも外光入射側に配設しても、当該無線モジュール１８のアンテナ１８Ａまで電波が達することとなって、アンテナ１３による電波の通信感度が低下することがない。
また、光反射フィルム１４ｂは、可視光域の全ての波長の光を反射するので、文字板１４に金属感を備えさせて高級感を向上させることができ、さらに、光反射フィルム１４ｂによって無線モジュール１８が外光入射側からは見えないこととなって、美的外観に優れたものとすることができる。これにより、文字板１４を備える腕時計３００の美的外観をより向上させることができる。
【００７５】
＜変形例９＞
変形例９の腕時計４００は、実施形態３の腕時計３００における文字板１４と無線モジュール１８との間に、太陽電池１７が配設されている（図１６参照）。即ち、太陽電池１７は、その外光入射側の面を文字板１４の外光入射側と反対側の面に対向させるように配設されている。
【００７６】
従って、変形例９の腕時計４００によれば、文字板１４は赤外線及び紫外線のうちの少なくとも何れか一方を透過するので、太陽電池１７よりも外光入射側に文字板１４を配設しても、当該文字板１４によって太陽電池１７による受光が妨げられることがなく、当該太陽電池１７による発電を効率良く行うことができる。
【００７７】
なお、上記実施形態１〜３並びに変形例１〜９にあっては、装飾板として文字板１４、１１４、２１４、３１４を例示したが、これに限られるものではなく、所定の装飾が施されたものであれば如何なるものであっても良い。
【００７８】
［実施形態４］
以下に、実施形態４の腕時計５００について図１７及び図１８を参照して説明する。
ここで、図１７は、本発明を適用した実施形態４の電子機器として例示する腕時計５００を示す平面図であり、図１８は、図１７のＸＶIII−ＸＶIII線における要部の拡大断面図である。
【００７９】
図１７及び図１８に示すように、実施形態４の腕時計５００は、時計ケース５０２内に時計計時部５０１が収納され、その時計計時部５０１の回路基板５１２に、文字板５１４の所定位置（例えば、１２時方向側の端部）を照明するためのＬＥＤ２１が接続されている。
また、時計ケース５０２の１２時方向側の端部に形成されたバンド取付部５０２Ａには、回路基板５１２と接続線１３１を介して電気的に接続されたアンテナ１３が配設されている。
具体的には、バンド取付部５０２Ａには、アンテナ１３を収納するためのアンテナ収納部５２１が形成され、このアンテナ収納部５２１の外光入射側の開口を覆うように光反射カバー部材５２２が配設されている。この光反射カバー部材５２２は、例えば、所定の樹脂に光反射フィルム１４ｂをインサート成形することで形成されている。これにより、電波は、当該光反射カバー部材５２２を透過することでアンテナ１３まで達するようになっており、また、可視光は光反射カバー部材５２２にて反射されるようになっている。
【００８０】
従って、実施形態４の腕時計５００によれば、光反射カバー部材５２２は、アンテナ１３により送信又は受信される電波信号を透過するので、アンテナ１３による電波信号の通信感度が低下することがない。
また、光反射カバー部材５２２は、可視光域の全ての波長の光を反射するので、光反射カバー部材５２２に金属感を備えさせて高級感を向上させることができ、さらに、光反射カバー部材５２２によってアンテナ１３が時計ケース５０２の外光入射側からは見えないこととなって、腕時計５００を美的外観に優れたものとすることができる。
【００８１】
なお、本発明は、上記実施形態に限定されることなく、本発明の趣旨を逸脱しない範囲において、種々の改良並びに設計の変更を行っても良い。
例えば、上記実施形態１〜４の腕時計１００〜４００並びに変形例１〜９の腕時計に係る光反射フィルム１４ｂ、２１４ｂ並びに光反射カバー部材５２２は、可視光域の全ての波長の光を反射するようにしたが、これに限られるものではなく、例えば、可視光の全ての波長のうちの少なくとも一部の波長の光を反射することができれば良い。即ち、光反射フィルム１４ｂ、２１４ｂ並びに光反射カバー部材５２２よりも外光入射側と反対側に配設されるアンテナ１３、センサ１６及び無線モジュール１８が、時計ケース２、５０２の外光入射側からは見えないこととすることができれば良く、これにより、腕時計１００〜４００並びに変形例１〜９に係る腕時計を美的外観に優れたものとすることができる。
なお、可視光のうち、光反射フィルム１４ｂ、２１４ｂ並びに光反射カバー部材５２２により反射される所定の波長の光は、複数の薄層のうちの、隣合う２種類の薄層からなる各組の各々の薄層の厚さを目的とする所定の波長（λ）の１／４となる程度に設定することで調整することができる。
【００８２】
また、光反射フィルム１４ｂ、２１４ｂとして、例えば、ガラス等の所定の基材に誘電体を蒸着等により多層構造に設けたものを適用しても良い。
また、光反射カバー部材５２２はインサート成形に限らず、光反射カバー部材５２２自体に誘電体を蒸着等により多層構造に設けたものを適用しても良い。
【００８３】
さらに、電子機器として腕時計１００〜４００を例示したが、これに限られるものではなく、装飾板を備える電子機器であれば如何なるものであっても良い。
［実施の形態のまとめ］
【００８４】
以上の説明から明らかなように、この実施の形態の一つの装飾版は、電波を用いて情報の送信及び受信のうちの少なくとも何れか一方を行う通信素子（例えば、図２のアンテナ１３等）よりも外光入射側に当該通信素子と重なるように配設される装飾板（例えば、図２の文字板１４等）であって、電波透過性を有する基材（例えば、図２の基材１４ａ等）と、この基材の外光入射側に配設され、前記通信素子により送信又は受信される波長の電波を透過するとともに可視光の全ての波長のうちの少なくとも一部の波長の光を反射する光反射フィルム（例えば、図２の光反射フィルム１４ｂ等）とを備えることを特徴としている。
【００８５】
この実施の形態の別な装飾版は、電波を用いて情報の送信及び受信のうちの少なくとも何れか一方を行う通信素子（例えば、図４のアンテナ１３等）よりも外光入射側に当該通信素子と重なるように配設される装飾板（例えば、図４の文字板１１４等）であって、電波透過性を有し、且つ、透明若しくは半透明に形成された基材（例えば、図４の基材１４ａ等）と、この基材の外光入射側と反対側に設けられ、前記通信素子により送信又は受信される波長の電波を透過するとともに可視光の全ての波長のうちの少なくとも一部の波長の光を反射する光反射フィルム（例えば、図４の光反射フィルム１４ｂ等）とを備えることを特徴としている。
【００８６】
これらの装飾板において、前記光反射フィルムには、入射される光を屈折する光屈折部（例えば、図５の光屈折部ｂ１）が形成されていることを特徴としている。
【００８７】
また、前述した装飾板において、前記基材には、入射される光を屈折する光屈折部（例えば、図６の光屈折部ａ１）が形成されていることを特徴としている。
【００８８】
この実施の形態の一つの電子機器（例えば、図１の腕時計１００等）は、少なくとも外光入射側が開口してなる機器ケース（例えば、図２の時計ケース２等）と、この機器ケース内に配設され、電波を用いて情報の送信及び受信のうちの少なくとも何れか一方を行う通信素子（例えば、図２のアンテナ１３等）と、この通信素子よりも外光入射側にて前記通信素子と重なるように前記機器ケース内に配設された装飾板（例えば、図２の文字板１４等）とを備え、前記装飾板は、電波透過性を有する基材（例えば、図２の基材１４ａ等）と、この基材の外光入射側に配設され、前記通信素子により送信又は受信される波長の電波を透過するとともに可視光の全ての波長のうちの少なくとも一部の波長の光を反射する光反射フィルム（例えば、図２の光反射フィルム１４ｂ等）とを備えることを特徴としている。
【００８９】
この実施の形態の別な電子機器（例えば、図１の腕時計１００等）は、少なくとも外光入射側が開口してなる機器ケース（例えば、図２の時計ケース２等）と、この機器ケース内に配設され、電波を用いて情報の送信及び受信のうちの少なくとも何れか一方を行う通信素子（例えば、図４のアンテナ１３等）と、この通信素子よりも外光入射側にて前記通信素子と重なるように前記機器ケース内に配設された装飾板（例えば、図４の文字板１１４等）とを備え、前記装飾板は、電波透過性を有し、且つ、透明若しくは半透明に形成された基材（例えば、図４の基材１４ａ等）と、この基材の外光入射側と反対側に設けられ、前記通信素子により送信又は受信される波長の電波を透過するとともに可視光の全ての波長のうちの少なくとも一部の波長の光を反射する光反射フィルム（例えば、図４の光反射フィルム１４ｂ等）とを備えることを特徴としている。
【００９０】
これらの電子機器において、前記光反射フィルムには、入射される光を屈折する光屈折部（例えば、図５の光屈折部ｂ１）が形成されていることを特徴としている。
【００９１】
また、前述した電子機器において、前記基材には、入射される光を屈折する光屈折部（例えば、図６の光屈折部ａ１）が形成されていることを特徴としている。
【００９２】
また、前述した電子機器において、前記装飾板は、赤外線及び紫外線のうちの少なくとも何れか一方を透過し、前記装飾板と前記通信素子との間に、前記装飾板を透過した赤外線及び紫外線のうちの少なくとも何れか一方を受光して発電する太陽電池（例えば、図８の太陽電池１７）が設けられていることを特徴としている。
【００９３】
この実施の形態の別な電子機器（例えば、図８の腕時計２００等）は、少なくとも外光入射側が開口してなる機器ケース（例えば、図８の時計ケース２）と、この機器ケース内に配設され、赤外線及び紫外線のうちの少なくとも何れか一方を受光して発電する太陽電池（例えば、図８の太陽電池１７）と、この太陽電池よりも外光入射側にて前記太陽電池と重なるように前記機器ケース内に配設された装飾板（例えば、図８の文字板１４）とを備え、前記装飾板は、光透過性を有する基材（例えば、図８の基材１４ａ）と、この基材の外光入射側に配設され、赤外線及び紫外線のうちの少なくとも何れか一方を透過するとともに可視光の全ての波長のうちの少なくとも一部の波長の光を反射する光反射フィルム（例えば、図８の光反射フィルム１４ｂ）とを備えることを特徴としている。
【００９４】
この実施の形態の別な電子機器（例えば、図８の腕時計２００等）は、少なくとも外光入射側が開口してなる機器ケース（例えば、図８の時計ケース２）と、この機器ケース内に配設され、赤外線及び紫外線のうちの少なくとも何れか一方を受光して発電する太陽電池（例えば、図８の太陽電池１７）と、この太陽電池よりも外光入射側にて前記太陽電池と重なるように前記機器ケース内に配設された装飾板（例えば、図１０の文字板１１４）とを備え、前記装飾板は、透明若しくは半透明に形成された光透過性を有する基材（例えば、図１０の基材１４ａ）と、この基材の外光入射側と反対側に設けられ、赤外線及び紫外線のうちの少なくとも何れか一方を透過するとともに可視光の全ての波長のうちの少なくとも一部の波長の光を反射する光反射フィルム（例えば、図１０の光反射フィルム１４ｂ）とを備えることを特徴としている。
［実施の形態の効果］
【００９５】
この実施の形態によれば、光反射フィルムは、通信素子により送信又は受信される波長の電波を透過して、さらに、光反射フィルムの外光入射側と反対側に配設された基材は、光反射フィルムを透過した電波を透過するので、当該装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射するので、当該光反射フィルムによって通信素子が外光入射側からは見えないこととなって、美的外観に優れたものとすることができる。
【００９６】
また、この実施の形態によれば、基材は電波透過性を有し、さらに、基材の外光入射側と反対側に配設された光反射フィルムは、基材を透過した通信素子により送信又は受信される波長の電波を透過するので、当該装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射し、反射された可視光は透明若しくは半透明に形成された基材を透過することとなるので、通信素子が外光入射側からは見えないこととなって、美的外観に優れたものとすることができる。
【００９７】
また、この実施の形態によれば、前述した実施の形態と同様の効果が得られるのは無論のこと、光反射フィルムに光屈折部が形成されているので、当該光屈折部に対して光が斜めに入射することで可視光の一部の波長の光が光屈折部を透過することとなり、これにより、光反射フィルムの色調を変化させることができ、当該装飾板をより装飾性に優れたものとすることができる。
【００９８】
また、この実施の形態によれば、前述した実施の形態と同様の効果が得られるのは無論のこと、基材に光屈折部が形成されているので、当該光屈折部を透過した光が光反射フィルムに対して斜めに入射することとなって、可視光の一部の波長の光が光反射フィルムを透過することとなる。これにより、光反射フィルムの色調を変化させることができ、当該装飾板をより装飾性に優れたものとすることができる。
【００９９】
また、この実施の形態によれば、光反射フィルムは通信素子により送信又は受信される波長の電波を透過して、さらに、光反射フィルムの外光入射側と反対側に配設された基材は、光反射フィルムを透過した電波を透過するので、装飾板を通信素子よりも外光入射側に配設しても、当該通信素子まで電波が達することとなって、通信素子による電波の通信感度が低下することがない。これにより、機器ケースを金属製としても通信素子による通信を適正に行うことができる。また、光反射フィルムは可視光の全ての波長のうちの少なくとも一部の波長の光を反射するので、当該光反射フィルムによって通信素子が外光入射側からは見えないこととなって、美的外観に優れたものとすることができる。これにより、装飾板を備える電子機器の美的外観をより向上させることができる。
【０１００】
また、この実施の形態によれば、基材は電波透過性を有し、さらに、基材の外光入射側と反対側に配設された光反射フィルムは、基材を透過した通信素子により送信又は受信される波長の電波を透過するので、装飾板を通信素子よりも外光入射側に配設しても、当該通信素子まで電波が達することとなって、通信素子による電波の通信感度が低下することがない。また、光反射フィルムは可視光の全ての波長のうちの少なくとも一部の波長の光を反射し、反射された可視光は透明若しくは半透明に形成された基材を透過することとなるので、通信素子が外光入射側からは見えないこととなって、美的外観に優れたものとすることができる。これにより、装飾板を備える電子機器の美的外観をより向上させることができる。
【０１０１】
また、この実施の形態によれば、前述した実施の形態と同様の効果が得られるのは無論のこと、光反射フィルムに光屈折部が形成されているので、当該光屈折部に対して光が斜めに入射することで可視光の一部の波長の光が光屈折部を透過することとなり、これにより、光反射フィルムの色調を変化させることができ、当該装飾板をより装飾性に優れたものとすることができる。
【０１０２】
また、この実施の形態によれば、前述した実施の形態と同様の効果が得られるのは無論のこと、基材に光屈折部が形成されているので、当該光屈折部を透過した光が光反射フィルムに対して斜めに入射することとなって、可視光の一部の波長の光が光反射フィルムを透過することとなる。これにより、光反射フィルムの色調を変化させることができ、当該装飾板をより装飾性に優れたものとすることができる。
【０１０３】
また、この実施の形態によれば、前述した実施の形態と同様の効果が得られるのは無論のこと、装飾板は赤外線及び紫外線のうちの少なくとも何れか一方を透過するので、太陽電池よりも外光入射側に装飾板を配設しても、当該装飾板によって太陽電池による受光が妨げられることがなく、当該太陽電池による発電を効率良く行うことができる。
【０１０４】
また、この実施の形態によれば、光反射フィルムは太陽電池により受光される赤外線及び紫外線のうちの少なくとも何れか一方を透過して、さらに、光反射フィルムの外光入射側と反対側に配設された基材は、光反射フィルムを透過した光を透過するので、太陽電池よりも外光入射側に装飾板を配設しても、当該装飾板によって太陽電池による受光が妨げられることがなく、当該太陽電池による発電を効率良く行うことができる。また、光反射フィルムは可視光の全ての波長のうちの少なくとも一部の波長の光を反射するので、当該光反射フィルムによって太陽電池が外光入射側からは見えないこととなって、美的外観に優れたものとすることができる。これにより、装飾板を備える電子機器の美的外観をより向上させることができる。
【０１０５】
また、この実施の形態によれば、基材は光透過性を有し、さらに、基材の外光入射側と反対側に配設された光反射フィルムは、基材を透過した太陽電池により受光される赤外線及び紫外線のうちの少なくとも何れか一方を透過するので、太陽電池よりも外光入射側に装飾板を配設しても、当該装飾板によって太陽電池による受光が妨げられることがなく、当該太陽電池による発電を効率良く行うことができる。また、光反射フィルムは可視光の全ての波長のうちの少なくとも一部の波長の光を反射して、反射された可視光は透明若しくは半透明に形成された基材を透過することとなるので、太陽電池が外光入射側からは見えないこととなって、美的外観に優れたものとすることができる。これにより、装飾板を備える電子機器の美的外観をより向上させることができる。
【符号の説明】
【０１０６】
１００、２００、３００、４００、５００  腕時計（電子機器）
２、５０２  時計ケース（機器ケース）
１３  アンテナ（通信素子）
１４、１１４、２１４、３１４  文字板（装飾板）
１４ａ、３１４ａ  基材
１４ｂ、２１４ｂ  光反射フィルム
ａ１、ｂ１  光屈折部
１７  太陽電池
１８  無線モジュール（通信素子）
１８Ａ  アンテナ
５２２  光反射カバー部材
【手続補正２】
【補正対象書類名】特許請求の範囲
【補正対象項目名】全文
【補正方法】変更
【補正の内容】
【特許請求の範囲】
【請求項１】
一端開口が時計ガラスで閉塞され、他端開口が裏蓋で閉塞されている金属製の機器ケース内に、当該機器ケースの一端開口側から順に、文字板、太陽電池、電波を用いて情報の受信を行うアンテナが配設されている電子機器において、
前記文字板は、
前記時計ガラス側から受信された電波を前記アンテナ側に透過させる電波透過性を有し、かつ、前記時計ガラス側から入光された外光を前記太陽電池側に透過させる透明または半透明の基材と、
この基材側から受信された電波を前記アンテナ側に透過させる一方で、前記基材側から入光された外光の一部を前記太陽電池側に透過させ、一部を前記時計ガラス側に反射させるために、前記基材の外光入射側と反対側の位置に配設された光反射フィルムとを備えており、
前記光反射フィルムは、前記太陽電池側の面に、前記時計ガラス側から入光された可視光域の波長の光を所定方向に所定角度屈折させるために、凹凸加工が施された光屈折部を形成していることを特徴とする電子機器。
【請求項２】
金属製の機器ケース内に、当該機器ケースの一端開口側から順に、風防ガラス、装飾板、太陽電池、電波を用いて情報の受信を行うアンテナが配設されている電子機器において、
前記装飾板は、
前記風防ガラス側から受信された電波を前記アンテナ側に透過させる電波透過性を有し、かつ、前記風防ガラス側から入光された外光を前記太陽電池側に透過させる透明または半透明の基材と、
この基材側から受信された電波を前記アンテナ側に透過させる一方で、前記基材側から入光された外光の一部を前記太陽電池側に透過させ、一部を前記風防ガラス側に反射させるために、前記基材の外光入射側と反対側の位置に配設された光反射フィルムとを備えており、
前記光反射フィルムは、前記太陽電池側の面に、前記風防ガラス側から入光された可視光域の波長の光を所定方向に所定角度屈折させるために、凹凸加工が施された光屈折部を形成していることを特徴とする電子機器。
【請求項３】
前記光反射フィルムは、高分子材料から構成されていることを特徴とする請求項１又は２に記載の電子機器。
【請求項４】
前記光反射フィルムは、前記基材側から入射された電波を透過させる一方で、前記光屈折部を介して、前記基材側から入光された可視光域の波長の光を、隣合う薄層どうしの境界面にて反射させるために、薄層を交互に積層して構成されていることを特徴とする請求項１又は２に記載の電子機器。
【手続補正３】
【補正対象書類名】図面
【補正対象項目名】図１２
【補正方法】変更
【補正の内容】
【図１２】
2011185953.tif 000021